(57)【要約】     【課題】プラズマディスプレイの製造技術において、スループットの向上が可能になる技術を提供する。    【解決手段】本発明のプラズマディスプレイ装置の製造装置１はアライメント封着室６を有している。アライメント封着室６は位置合わせ機構の他に加熱機構を有しており、位置合わせが終了した後にフロントパネル及びリアパネルを加熱して封着することができ、位置合わせ工程と封着工程とを一つの処理室で行うことができる。従って、位置合わせが終了した一組のパネルをクリップで仮留めし、封着室へ搬送する必要があった従来に比して、工程数を削減することができる。【選択図】        図１
2010205741.tif 000002
【特許請求の範囲】
【請求項１】
真空槽と、
前記真空槽内に配置されたパネル保持機構とを有し、
前記パネル保持機構は、プラズマディスプレイ装置を構成する二枚のパネルを、前記パネルの表面が互いに対向した状態で水平に配置し、前記パネルの相対的な位置合わせができるように構成されたパネル保持機構とを有する真空処理室であって、
前記パネル保持機構は、上側のパネル保持台と、下側のパネル保持台を有し、各パネル保持台は、それぞれが前記パネルを密着保持できるように構成され、
前記パネル保持台には、加熱機構が設けられ、
前記加熱機構は前記パネルを密着保持した状態で、熱伝導により前記パネルを加熱することができるように構成されたことを特徴とする真空処理室。
【請求項２】
前記パネル保持台には、静電吸着装置が設けられたことを特徴とする請求項１記載の真空処理室。
【請求項３】
前記真空槽にはガス導入機構が設けられ、
前記パネル保持台には、真空吸着装置が設けられたことを特徴とする請求項１記載の真空処理室。
【請求項４】
請求項１乃至請求項３のいずれか１項記載の真空処理室であって、
チップ管を前記パネル表面に当接できるように構成された当接機構を更に有することを特徴とする真空処理室。
【請求項５】
前記真空槽外に配置された駆動機構と、
真空槽内の真空状態を維持した状態で、前記駆動機構が生成した駆動力を前記パネル保持機構に伝達させる伝達機構とを有することを特徴とする請求項１乃至請求項４のいずれか１項記載の真空処理室。
【請求項６】
フロントパネルとリアパネルからプラズマディスプレイ装置を製造し、
前記フロントパネル表面に保護膜を成膜する成膜室と、
前記リアパネルを加熱して脱ガス処理を行うプリベーク室と、
前記成膜室及び前記プリベーク室のいずれにも接続され、前記フロントパネル及び前記リアパネルの搬送機構を備えた搬送室とを有するプラズマディスプレイ装置の製造装置であって、
前記搬送室に接続された請求項１乃至請求項５のいずれか１項記載の真空処理室を有することを特徴とするプラズマディスプレイ装置の製造装置。
【請求項７】
請求項６記載のプラズマディスプレイ装置の製造装置であって、
前記搬送室に、前記フロントパネルと前記リアパネルとを封止する封止室が接続されたことを特徴とするプラズマディスプレイ装置の製造装置。
【請求項８】
リアパネルを加熱して脱ガス処理する加熱工程と、
前記リアパネルと、表面に保護膜が成膜されたフロントパネルとをそれぞれパネル保持台に吸着させ、前記パネルの表面が互いに対向した状態で、前記リアパネルと前記フロントパネルとの位置合わせをする位置合わせ工程と、
前記リアパネルの表面の周辺部に形成された封着材と前記フロントパネルとを接触させた後に前記封着材を加熱して溶融させ、前記リアパネルと前記フロントパネルの間が所定の間隙となるまで押圧した後、前記封着材を冷却して固化させることにより、前記リアパネルと前記フロントパネルを封着する封着工程とを有するプラズマディスプレイの製造方法であって、
前記位置合わせ工程における前記リアパネルの温度は、前記加熱工程における前記リアパネルの温度より所定温度だけ低下するようにされたことを特徴とするプラズマディスプレイ装置の製造方法。
【請求項９】
前記位置合わせ工程と前記封着工程とは、ともに同一の処理室内で行われることを特徴とする請求項８記載のプラズマディスプレイ装置の製造方法。
【請求項１０】
前記加熱工程、前記位置合わせ工程及び前記封着工程は、いずれも真空雰囲気中で行われることを特徴とする請求項８又は請求項９記載のプラズマディスプレイ装置の製造方法。
【請求項１１】
前記位置合わせ工程と前記封着工程において、前記フロントパネル及び前記リアパネルは、前記パネル保持台に静電吸着されたことを特徴とする請求項１０記載のプラズマディスプレイ装置の製造方法。
【請求項１２】
前記位置合わせ工程と前記封着工程とは、大気圧条件下で行われ、
前記位置合わせ工程と前記封着工程において、前記フロントパネル及び前記リアパネルは、前記パネル保持台に真空吸着されたことを特徴とする請求項８又は請求項９記載のプラズマディスプレイ装置の製造方法。
【請求項１３】
請求項８乃至請求項１２のいずれか１項記載のプラズマディスプレイ装置の製造方法であって、
前記位置合わせ工程の前に、位置合わせ工程における前記リアパネルの温度と同じ温度になるように、前記フロントパネルの温度を制御する工程をさらに有することを特徴とするプラズマディスプレイ装置の製造方法。
【請求項１４】
請求項８乃至請求項１３のいずれか１項記載のプラズマディスプレイ装置の製造方法であって、
前記封着工程の前に、熱溶融性の接着材が先端に設けられたチップ管を、前記フロントパネル又はリアパネルのいずれか一方又は両方に当接させておく工程を更に有し、
前記封着工程で、前記封着材を加熱するとともに前記接着材を加熱して溶融させ、前記接着材を冷却して固化させることにより、前記接着材で前記チップ管を前記フロントパネル又はリアパネルのいずれか一方又は両方に固着させることを特徴とするプラズマディスプレイ装置の製造方法。
【請求項１５】
フロントパネルとリアパネルからなるプラズマディスプレイ装置の前記フロントパネル表面に保護膜を成膜する成膜室と、
前記リアパネルを加熱して脱ガス処理を行うプリべーク室と、
前記成膜室及び前記プリべーク室のいずれにも接続され、前記フロントパネル及び前記リアパネルを搬送する搬送機構を備えた搬送室と、前記搬送室を介して搬入される前記フロントパネル及び前記リアパネルを位置合わせして封着するアライメント封着室とを有するプラズマディスプレイ装置の製造装置であって、
前記アライメント封着室は、搬入された前記フロントパネル及び前記リアパネルを、それらパネルの表面が互いに対向した状態で水平に保持し、
前記パネルの相対的な位置合わせができるように構成されたパネル保持機構を備え、
前記パネル保持機構は、上側のパネル保持台と、下側のパネル保持台とを有し、
各パネル保持台には、それぞれ加熱機構と静電吸着装置が設けられ、前記フロントパネルと前記リアパネルは、それぞれ前記パネル保持台に密着保持された状態で、熱伝導により加熱することができるように構成されたことを特徴とするプラズマディスプレイ装置の製造装置。
【請求項１６】
前記アライメント封着室に、チップ管を前記パネル表面に当設できるように構成された当接機構を設けたことを特徴とする請求項１５記載のプラズマディスプレイ装置の製造装置。
【請求項１７】
前記アライメント封着室外に配置された駆動機構と、前記アライメント封着室内の真空状態を維持した状態で、前記駆動機構が生成した駆動力を前記パネル保持機構に伝達させる伝達機構とを有することを特徴とする請求項１５または請求項１６記載のプラズマディスプレイ装置の製造装置。
【請求項１８】
前記搬送室に、前記アライメント封着室で封着した前記フロントパネルと前記リアパネルを封止する封止室を接続したことを特徴とする請求項１６記載のプラズマディスプレイ装置の製造装置。
【発明の詳細な説明】
【技術分野】
【０００１】
本発明は真空処理室、プラズマディスプレイ装置の製造装置及びプラズマディスプレイ装置の製造方法に関し、特に、フロントパネルとリアパネルとを位置合わせし、封着・封止する工程に用いられるプラズマディスプレイ装置の製造装置及び製造方法の改善に関する。
【背景技術】
【０００２】
近年、薄型で大画面を表示できるプラズマディスプレイ装置が注目されている。
図１６(ａ)の符号１１１に、ＡＣ型のプラズマディスプレイ装置の構造を示す。このプラズマディスプレイ装置１１１は、フロントパネル１２０とリアパネル１３０とを有している。
【０００３】
フロントパネル１２０とリアパネル１３０の表面には、電極１２１、１３１がそれぞれ設けられている。フロントパネル１２０とリアパネル１３０とは、その電極１２１、１３１が互いに面し、各電極１２１、１３１が互いに垂直方向に延設されるように平行に対向配置されており、複数の電極１２１、１３１のうち、適当な電極１２１、１３１を選択して電圧を印加することで、プラズマディスプレイ装置１１１上の所望位置を発光させられるように構成されている。
【０００４】
このような構成のプラズマディスプレイ装置を製造するには、所定の部材が表面にそれぞれ形成されたフロントパネルとリアパネルとを位置合わせして封着し、その後内部に放電用のガスを封入して封止するという処理が必要になる。
【０００５】
このようにフロントパネルとリアパネルとを位置合わせし、封着する装置として、図１７の符号１０１に示すような製造装置が提案されている。
【０００６】
この製造装置１０１は、ＭｇＯ成膜室１０２と、蒸着出口室１０３と、搬送室１０４と、プリベーク室１０５と、アライメント室１０６と、封着室１０７と、排気室１０８と、封止室１０９とを有している。
【０００７】
ＭｇＯ成膜室１０２の前段には、図示しない搬入室が配置されており、後段には蒸着出口室１０３が配置されている。蒸着出口室１０３は、搬送室１０４に配置されている。
【０００８】
搬送室１０４には、プリベーク室１０５と、アライメント室１０６と、封着室１０７とが配置されている。封着室１０７の後段には  排気室１０８が配置され、排気室１０８の後段には封止室１１０が配置されており、封止室１０９の後段には図示しない搬出室が配置されている。
【０００９】
上述した製造装置１０１を用いて、フロントパネルとリアパネルを封着するには、まず、予め透明電極膜等の所定の部材が形成されたフロントパネルを、不図示の搬入室に搬入する。
【００１０】
次いで搬入室を真空排気し、搬入室内が真空雰囲気になったら、搬入室内を、予め真空排気されたＭｇＯ成膜室１０２内と接続し、フロントパネルをＭｇＯ成膜室１０２に搬入する。次にフロントパネルを加熱し、１５０℃〜２００℃程度の温度にした状態で、蒸着法により、フロントパネル表面にＭｇＯ保護膜を成膜する。
【００１１】
所定膜厚のＭｇＯ保護膜が成膜されたら、フロントパネルを蒸着出口室１０３に搬入した後、フロントパネルの温度が室温になるまで冷却する。フロントパネルの温度が室温まで低下したら、フロントパネルを搬送室１０４を介してアライメント室１０６に搬入する。搬入されたフロントパネルは、アライメント室１０６内で、図示しない基板保持機構によりＭｇＯ保護膜の成膜面が下向きの状態で保持される。この基板保持機構は、真空吸着装置で構成されており、そのためアライメント室１０６内の圧力は、大気圧にされている。
【００１２】
他方、プリベーク室１０５の前段には図示しない搬入室が設けられており、予め所定の部材が表面に形成されたリアパネルを搬入室に搬入した後に、不図示の搬送機構でプリベーク室１０５へと搬送する。
【００１３】
次いで、大気圧雰囲気中のプリベーク室１０５で、リアパネルを５００℃程度の高温になるまで加熱して脱ガス処理を行う。その後リアパネルを冷却し、リアパネルの温度が室温まで低下したら、リアパネルを搬送室１０４を介してアライメント室１０６に搬入する。搬入されたリアパネルは、図示しない基板保持機構により、表面が上向きの状態でフロントパネルと対向するように保持される。
【００１４】
次に、大気圧雰囲気中のアライメント室１０６で、フロントパネルとリアパネルとの相対的な位置合わせを行う。位置合わせが終了したらフロントパネルとリアパネルとをクリップ等で仮留めし、パネル間の相対的な位置がずれないようにしておく。
次いで、フロントパネル及びリアパネルを搬送室１０４を介して、内部圧力が大気圧にされた封着室１０７に搬入する。
【００１５】
リアパネルの断面図を図１６(ｂ)の符号１３０に示す。リアパネル１３０表面の周辺には、熱溶融性の封着材１５８が形成されており、封着材１５８をフロントパネル表面に当接させ、４００℃程度まで加熱すると、封着材１５８が熱溶融してフロントパネルと密着する。この状態からパネルを冷却させて封着材を固化させると、フロントパネルとリアパネルとが封着される。
【００１６】
リアパネルの一部には、図示しない貫通孔が予め設けられており、この貫通孔と連通する開口を有するチップ管が予め取り付けられている。このため、封着された状態では、フロントパネルとリアパネルとの間の空間は、貫通孔及びチップ管を介して外部と通じている。
【００１７】
その後、封着された一組のパネルを排気室１０８に搬入し、排気室１０８内を真空排気する。すると、一組のパネル間も、貫通孔及びチップ管から真空排気される。
【００１８】
次いで、排気室１０８内を、真空排気された封止室１０９内と接続し、一組のフロントパネル及びリアパネルを封止室１０９内に搬入する。その後、封止室１０９内に放電用ガスを所定圧力まで導入すると、真空状態にあった一組のパネル間にも、チップ管及び貫通孔から放電ガスが導入される。一組のパネル間が所定圧力になったらチップ管を潰して貫通孔を塞ぎ、一組のパネル間を気密に封止すると、プラズマディスプレイ装置を得ることができる。
【００１９】
こうして製造されたプラズマディスプレイ装置を搬出室(図示せず)に搬入し、封着室１０９との間を遮断した後、搬出室内に大気を導入すると、プラズマディスプレイ装置を取り出すことができる。
【００２０】
上述した製造装置１０１では、上述したようにアライメント室１０６でフロントパネルとリアパネルとを位置合わせした後に、アライメント室１０６内で、フロントパネルとリアパネルとをクリップ等により仮留めし、位置ズレが生じないようにしてから、封着室１０７へと搬送していた。このように位置ズレが生じないようにクリップでフロントパネルとリアパネルとを仮留めすることは難しい。又、クリップで仮留めした後に、封着室へ搬送する際に、クリップと搬送機構とが接触することで位置ズレが生じてしまうおそれがあるので、搬送機構がクリップと接触しないように構成された特別な搬送機構を用いる必要があった。
【００２１】
また、従来では、フロントパネルとリアパネルを、それぞれＭｇＯ成膜時や、脱ガス処理時に加熱した後に、各パネルを室温まで冷却して位置合わせし、その後、再びフロントパネルとリアパネルとを加熱して封着していた。一旦加熱したパネルを室温まで冷却するのに要する時間は極めて長いので、製造に要する時間が長くなり、スループットが低下してしまうという問題が生じていた。
【先行技術文献】
【特許文献】
【００２２】
【発明の概要】
【発明が解決しようとする課題】
【００２３】
本発明は上記従来技術の不都合を解決するために創作されたものであり、その目的は、製造工程が煩雑にならないようにし、スループットの向上を図ることを可能にする技術を提供することにある。
【課題を解決するための手段】
【００２４】
上記課題を解決するために、請求項１記載の発明は、真空槽と、前記真空槽内に配置されたパネル保持機構とを有し、前記パネル保持機構は、プラズマディスプレイ装置を構成する二枚のパネルを、前記パネルの表面が互いに対向した状態で水平に配置し、前記パネルの相対的な位置合わせができるように構成されたパネル保持機構とを有する真空処理室であって、前記パネル保持機構は、上側のパネル保持台と、下側のパネル保持台を有し、各パネル保持台は、それぞれが前記パネルを密着保持できるように構成され、前記パネル保持台には、加熱機構が設けられ、前記加熱機構は前記パネルを密着保持した状態で、熱伝導により前記パネルを加熱することができるように構成されたことを特徴とする。
請求項２記載の発明は、請求項１記載の真空処理室であって、前記パネル保持台には、静電吸着装置が設けられたことを特徴とする。
請求項３記載の発明は、請求項１記載の真空処理室であって、前記真空槽にはガス導入機構が設けられ、前記パネル保持台には、真空吸着装置が設けられたことを特徴とする。
請求項４記載の発明は、請求項１乃至請求項３のいずれか１項記載の真空処理室であって、チップ管を前記パネル表面に当接できるように構成された当接機構を更に有することを特徴とする。
請求項５記載の発明は、請求項１乃至請求項４のいずれか１項記載の真空処理室であって、前記真空槽外に配置された駆動機構と、真空槽内の真空状態を維持した状態で、前記駆動機構が生成した駆動力を前記パネル保持機構に伝達させる伝達機構とを有することを特徴とする。
請求項６記載の発明は、フロントパネルとリアパネルからプラズマディスプレイ装置を製造し、前記フロントパネル表面に保護膜を成膜する成膜室と、前記リアパネルを加熱して脱ガス処理を行うプリベーク室と、前記成膜室及び前記プリベーク室のいずれにも接続され、前記フロントパネル及び前記リアパネルの搬送機構を備えた搬送室とを有するプラズマディスプレイ装置の製造装置であって、前記搬送室に接続された請求項１乃至請求項５のいずれか１項記載の真空処理室を有することを特徴とする。
請求項７記載の発明は、請求項６記載のプラズマディスプレイ装置の製造装置であって、前記搬送室に、前記フロントパネルと前記リアパネルとを封止する封止室が接続されたことを特徴とする。
請求項８記載の発明は、リアパネルを加熱して脱ガス処理する加熱工程と、前記リアパネルと、表面に保護膜が成膜されたフロントパネルとをそれぞれパネル保持台に吸着させ、前記パネルの表面が互いに対向した状態で、前記リアパネルと前記フロントパネルとの位置合わせをする位置合わせ工程と、前記リアパネルの表面の周辺部に形成された封着材と前記フロントパネルとを接触させた後に前記封着材を加熱して溶融させ、前記リアパネルと前記フロントパネルの間が所定の間隙となるまで押圧した後、前記封着材を冷却して固化させることにより、前記リアパネルと前記フロントパネルを封着する封着工程とを有するプラズマディスプレイの製造方法であって、前記位置合わせ工程における前記リアパネルの温度は、前記加熱工程における前記リアパネルの温度より所定温度だけ低下するようにされたことを特徴とする。
請求項９記載の発明は、請求項８記載のプラズマディスプレイ装置の製造方法であって、前記位置合わせ工程と前記封着工程とは、ともに同一の処理室内で行われることを特徴とする。
請求項１０記載の発明は、請求項８又は請求項９記載のプラズマディスプレイ装置の製造方法であって、前記加熱工程、前記位置合わせ工程及び前記封着工程は、いずれも真空雰囲気中で行われることを特徴とする。
請求項１１記載の発明は、請求項１０記載のプラズマディスプレイ装置の製造方法であって、前記位置合わせ工程と前記封着工程において、前記フロントパネル及び前記リアパネルは、前記パネル保持台に静電吸着されたことを特徴とする。
請求項１２記載の発明は、請求項８又は請求項９記載のプラズマディスプレイ装置の製造方法であって、前記位置合わせ工程と前記封着工程とは、大気圧条件下で行われ、前記位置合わせ工程と前記封着工程において、前記フロントパネル及び前記リアパネルは、前記パネル保持台に真空吸着されたことを特徴とする。
請求項１３記載の発明は、請求項８乃至請求項１２のいずれか１項記載のプラズマディスプレイ装置の製造方法であって、前記位置合わせ工程の前に、位置合わせ工程における前記リアパネルの温度と同じ温度になるように、前記フロントパネルの温度を制御する工程をさらに有することを特徴とする。
請求項１４記載の発明は、請求項８乃至請求項１３のいずれか１項記載のプラズマディスプレイ装置の製造方法であって、前記封着工程の前に、熱溶融性の接着材が先端に設けられたチップ管を、前記フロントパネル又はリアパネルのいずれか一方又は両方に当接させておく工程を更に有し、前記封着工程で、前記封着材を加熱するとともに前記接着材を加熱して溶融させ、前記接着材を冷却して固化させることにより、前記接着材で前記チップ管を前記フロントパネル又はリアパネルのいずれか一方又は両方に固着させることを特徴とする。
請求項１５記載の発明は、フロントパネルとリアパネルからなるプラズマディスプレイ装置の前記フロントパネル表面に保護膜を成膜する成膜室と、前記リアパネルを加熱して脱ガス処理を行うプリべーク室と、前記成膜室及び前記プリべーク室のいずれにも接続され、前記フロントパネル及び前記リアパネルを搬送する搬送機構を備えた搬送室と、前記搬送室を介して搬入される前記フロントパネル及び前記リアパネルを位置合わせして封着するアライメント封着室とを有するプラズマディスプレイ装置の製造装置であって、前記アライメント封着室は、搬入された前記フロントパネル及び前記リアパネルを、それらパネルの表面が互いに対向した状態で水平に保持し、前記パネルの相対的な位置合わせができるように構成されたパネル保持機構を備え、前記パネル保持機構は、上側のパネル保持台と、下側のパネル保持台とを有し、各パネル保持台には、それぞれ加熱機構と静電吸着装置が設けられ、前記フロントパネルと前記リアパネルは、それぞれ前記パネル保持台に密着保持された状態で、熱伝導により加熱することができるように構成されたことを特徴とする。
請求項１６記載の発明は、請求項１５記載のプラズマディスプレイ装置の製造装置であって、前記アライメント封着室に、チップ管を前記パネル表面に当設できるように構成された当接機構を設けたことを特徴とする。
請求項１７記載の発明は、請求項１５または請求項１６記載のプラズマディスプレイ装置の製造装置であって、前記アライメント封着室外に配置された駆動機構と、前記アライメント封着室内の真空状態を維持した状態で、前記駆動機構が生成した駆動力を前記パネル保持機構に伝達させる伝達機構とを有することを特徴とする。
請求項１８記載の発明は、請求項１６記載のプラズマディスプレイ装置の製造装置であって、前記搬送室に、前記アライメント封着室で封着した前記フロントパネルと前記リアパネルを封止する封止室を接続したことを特徴とする。
【００２５】
本発明の真空処理室によれば、一方のパネル表面の周囲に、予め熱溶融性の封着材が設けられた場合には、位置合わせが終了した二枚のパネルの相対的な位置を維持しながら、封着材が設けられていない側のパネル表面を封着材と当接させ、加熱機構で二枚のパネルを加熱して封着材を熱溶融させた後に、封着材を冷却して固化させることにより、二枚のパネルを封着材で封着することができる。
【００２６】
このように、一つの真空処理室で二枚のパネルの相対的な位置合わせをするのみならず、二枚のパネルを封着させることができ、位置合わせ後の正しい位置関係を維持しながら、二枚のパネルを直ぐに封着することができるので、従来のようにクリップで一組のパネルを留めて封着室に搬送する工程が不要になり、工程数を削減できる。また、クリップと接触しないようにされた特別な搬送機構も必要としない。
【００２７】
なお、本発明の真空処理室において、パネル保持機構には、静電吸着装置が設けられるように構成してもよい。この場合には、パネルを真空雰囲気中で吸着保持することができる。
【００２８】
また、本発明の真空処理室において、パネル保持機構には、真空吸着装置が設けられるように構成してもよい。この場合には、パネルを大気圧条件下で吸着保持することができる。
【００２９】
さらに、本発明の真空処理室において、パネル表面にチップ管を当接可能な当接機構を有している。
一方のパネルに貫通孔が設けられた場合には、上述の貫通孔と連通するように、当接機構で、熱溶融性の接着材が先端に設けられたチップ管先端をパネル表面に当接させ、封着する際に加熱機構で二枚のパネルを加熱すると、チップ管先端の接着材が熱溶融し、その後冷却されて固化することにより、貫通孔と連通した状態でチップ管をパネル表面に接着させることができる。
【００３０】
また、本発明の真空処理室において、駆動機構を真空槽内と遮断した状態で、駆動力をパネル保持機構に伝達させる伝達機構を有するように構成してもよい。駆動機構が真空槽内雰囲気では耐えられない場合、例えば真空槽内の処理が高温で行われ、高温条件下に駆動機構を晒すと動作に支障をきたすため、真空槽内に駆動機構を設けることができない場合には、伝達機構で駆動力のみをパネル保持機構に伝達することで、駆動機構を真空槽内雰囲気に晒すことなく、パネル保持機構を駆動することができる。
【００３１】
さらに、本発明のプラズマディスプレイ装置の製造装置によれば、成膜室と、脱ガス室と、搬送室と、本発明の真空処理室を有している。
かかる構成の製造装置は、本発明の真空処理室を有しているので、１個の真空処理室内で二枚のパネルを位置合わせして封着することができる。このため、従来と異なり、クリップで一組のパネルを留めて封着室に搬送し、封着するという工程が不要になり工程数を削減できる。
【００３２】
また、本発明のプラズマディスプレイ装置の製造装置によれば、搬送室に、封止室が接続されるように構成してもよい。
このように構成し、封着工程を真空雰囲気で行った場合には、本発明の真空処理室内で封着工程が終了した一組のパネルを、搬送室を介してすぐに封止室に搬入することができる。
【００３３】
さらに、本発明のプラズマディスプレイ装置の製造方法によれば、位置合わせ工程におけるリアパネルの温度は、脱ガスのための加熱工程におけるリアパネルの温度より所定温度だけ低下するようにされている。
【００３４】
従来では位置合わせ工程の際に各パネルを室温まで冷却していたが、本発明の製造方法では、位置合わせ時には室温まで冷却する必要がない。そのため、冷却に要する時間を短縮し、製造に要する時間を従来に比して短縮することができる。
【００３５】
また、本発明のプラズマディスプレイ装置の製造方法において、位置合わせ工程と封着工程とは、ともに同一の処理室内で行われるように構成してもよい。
さらに、本発明のプラズマディスプレイ装置の製造方法において、リアパネルの加熱工程、位置合わせ工程及び封着工程は、いずれも真空雰囲気中で行われている。
【００３６】
このように構成した場合には、封着工程終了後、封着された一組のパネルの間は真空状態になっているため、封着終了後、すぐにパネル間に放電用のガスを入れて封止することができる。従って、位置合わせ工程及び封着工程を大気圧条件下で行っていたため、封着工程終了後に一組のパネル間を真空排気する必要があった従来と異なり、真空排気に要する時間が不要なので、従来に比して製造に要する時間を短縮することができる。
【００３７】
また、本発明のプラズマディスプレイ装置の製造方法において、位置合わせ工程と封着工程において、フロントパネル及びリアパネルは、パネル保持台に静電吸着されるように構成してもよい。
【００３８】
さらに、本発明のプラズマディスプレイ装置の製造方法において、位置合わせ工程と封着工程は大気圧条件下で行われ、位置合わせ工程と封着工程において、フロントパネル及びリアパネルは、パネル保持台に真空吸着されるように構成してもよい。
【００３９】
また、本発明のプラズマディスプレイ装置の製造方法において、位置合わせ工程の前に、フロントパネルの温度を、位置合わせ工程におけるリアパネルの温度と同じ温度になるように制御するように構成してもよい。
このように構成することにより、フロントパネルとリアパネルの温度がともに等しい状態で位置合わせを行うことができる。
【００４０】
さらに、本発明のプラズマディスプレイ装置の製造方法において、熱溶融性の接着材が先端に設けられたチップ管を、フロントパネル又はリアパネルのいずれか一方に予め当接させ、封着工程で、封着材を熱溶融、固化するとともに接着材を熱溶融、固化させるように構成してもよい。
【００４１】
このように構成し、いずれか一方又は両方のパネルに貫通孔が設けられた場合には、この貫通孔と連通するように、チップ管先端をパネル表面に当接させ、封着工程でチップ管先端の接着材が熱溶融した後に冷却・固化することにより、開口が貫通孔と連通した状態でチップ管をパネル表面に接着させることができる。
【発明の効果】
【００４２】
二枚のパネルの位置合わせ工程と封着工程を一つの処理室で行うことができる。
また、位置合わせ及び封着工程を真空雰囲気中で行っており、封着後にパネル間を真空排気することなく封止工程に移行することができるので、製造に要する時間を短縮し、スループットを向上することができる。
【図面の簡単な説明】
【００４３】
【図１】本発明の一実施形態の製造装置の構成を説明する図
【図２】本発明の一実施形態の製造装置の、搬送室周辺の処理室の接続関係を説明する図
【図３】本発明の一実施形態のアライメント封着室の構成を説明する側断面図
【図４】本発明の一実施形態のアライメント封着室にフロントパネルを搬入する工程を説明する図
【図５】その続きの工程を説明する図
【図６】その続きの工程を説明する図
【図７】その続きの工程を説明する図
【図８】その続きの工程を説明する図
【図９】その続きの工程を説明する図
【図１０】本発明の一実施形態のアライメント封着室にリアパネルを搬入する工程を説明する図
【図１１】その続きの工程を説明する図
【図１２】本発明の一実施形態のアライメント封着室の位置合わせに関する機構を説明する図
【図１３】アライメント封着室における封着工程を説明する図
【図１４】その続きの工程を説明する図
【図１５】本発明の他の実施形態のアライメント封着室を説明する図
【図１６】(ａ)：一般のプラズマディスプレイ装置を説明する図              (ｂ)：一般のリアパネルを説明する断面図
【図１７】従来の製造装置の構成を説明する図
【発明を実施するための形態】
【００４４】
以下で図面を参照し、本発明の実施形態について説明する。
図１の符号１に、プラズマディスプレイ装置の製造に用いられる本発明の製造装置を示す。
この製造装置１は、ＭｇＯ成膜室２と、蒸着出口室３と、搬送室４と、プリベーク室５と、アライメント封着室６と、封止室９とを有している。
【００４５】
ＭｇＯ成膜室２の前段には、図示しない搬入室が配置されており、後段には蒸着出口室３と、搬送室４とが順に配置されている。
搬送室４には、プリベーク室５と、アライメント封着室６と、封止室９とが配置されている。このうち封止室９の後段には図示しない搬出室が配置されている。
【００４６】
上述した製造装置１を用いて、予め所定部材が表面に形成されたフロントパネルとリアパネルを位置合わせした後に封着、封止してプラズマディスプレイ装置を製造する工程について以下で説明する。
【００４７】
初期状態では、予めＭｇＯ成膜室２と、蒸着出口室３と、搬送室４と、プリベーク室５と、アライメント封着室６と、封止室９とは、ともに真空排気されているものとする。
まず、予め透明電極膜などの所定部材が表面に形成されたフロントパネルを、ＭｇＯ成膜室前段の搬入室に搬入する。
【００４８】
次いで搬入室を真空排気し、真空状態になったらＭｇＯ成膜室２内部と接続し、フロントパネルをＭｇＯ成膜室２内に搬入する。ＭｇＯ成膜室２内には不図示のヒータが設けられており、ヒータでフロントパネルを加熱し、１５０℃〜２００℃の温度に保つ。その後蒸着法で、フロントパネルの表面にＭｇＯ保護膜を成膜する。
【００４９】
所定膜厚のＭｇＯ保護膜が成膜されたら、図示しない搬送機構でフロントパネルを蒸着出口室３に搬入する。蒸着出口室３内には図２に示すように位置調整機構１１が設けられており、搬入されたフロントパネルは位置調整機構１１により、蒸着出口室３内の所定位置に配置される。
【００５０】
フロントパネルが所定位置に配置されたら、搬送ロボット１２が蒸着出口室３内のフロントパネルを保持し、蒸着出口室３から搬出し、搬送室４を介してアライメント封着室６に搬入する。
【００５１】
アライメント封着室６の詳細な構成を図３の断面図に示す。アライメント封着室６は、上側昇降軸３１と、上側支持台（上側保持台）３２と、上側吸着装置３３と、支持板３４と、支持棒３５と、基板吸着パット３６と、ベローズ３７と、下側支持軸４１と、下側支持台（下側保持台）４２と、下側吸着装置４３と、基板昇降軸４４と、基板昇降支持板４５と、基板昇降ピン４６と、ベローズ４７と、ベローズ４８と、アライメント機構５０と、チップ管取付軸５９とを有している。
【００５２】
アライメント封着室６内部の上方には、板状の上側吸着装置３３が配置されている。上側吸着装置３３は、その上方に配置された板状の上側支持台（上側保持台）３２とともに本発明の上側のパネル保持部を構成しており、上側支持台（上側保持台）３２の下面に固定され、上側支持台（上側保持台）３２の上部は、その上方に設けられた上側昇降軸３１の下端に取り付けられている。
【００５３】
上側昇降軸３１の上端は、ベローズ３７を介して不図示の駆動機構に接続されており、駆動機構を動作させると、上側昇降軸３１が上下して、上側吸着装置３３を上下方向に移動させることができるように構成されている。
【００５４】
上側吸着装置３３と上側支持台（上側保持台）３２とには貫通孔が設けられており、この貫通孔を挿通するように支持棒３５が配置されている。支持棒３５の上端は、支持板３４に取り付けられており、支持棒３５の下端には、ゴム製の基板吸着パット３６が下向きに取り付けられている。支持板３４は不図示の固定機構でアライメント封着室６内に固定されており、支持棒３５と基板吸着パット３６とは移動できないように構成されている。
【００５５】
アライメント封着室６内部の下方には、板状の下側吸着装置４３が配置されている。下側吸着装置４３は、その下方に配置された板状の下側支持台（下側保持台）４２とともに本発明の下側のパネル保持部を構成しており、下側支持台（下側保持台）４２上に固定され、下側支持台（下側保持台）４２の下面は、その下方に設けられた下側支持軸４１の上端に取り付けられている。下側支持軸４１の下端は、ベローズ４７を介してアライメントテーブル５５に固定されている。アライメントテーブル５５には駆動機構５０が接続されており、駆動機構５０を動作させると、下側支持台（下側保持台）４２を水平面内で移動させることができるように構成されている。
【００５６】
下側吸着装置４３と下側支持台（下側保持台）４２には、複数の貫通孔が設けられており、各貫通孔を挿通するように基板昇降ピン４６が配置されている。基板昇降ピン４６の下端は基板昇降支持板４５に取り付けられ、基板昇降支持板４５はその下方に配置された基板昇降軸４４の上端に取り付けられている。基板昇降軸４４の下端はベローズ４８を介して昇降機構に接続されており、昇降機構を動作させると、基板昇降軸４４が動作して、基板昇降ピン４６を上下させることができるように構成されている。
【００５７】
下側吸着装置４３及び下側支持台（下側保持台）４２には、基板昇降ピン４６を挿通する複数の貫通孔の他に、１個の貫通孔が設けられており、この貫通孔を挿通するように後述するチップ管取付軸５９が配置されている。チップ管取付軸５９の下端はベローズ５８を介して駆動機構に接続されており、駆動機構を動作させるとチップ管取付軸５９を上下できるように構成されている。
【００５８】
図４に、フロントパネルが搬入される前のアライメント封着室６の状態を示す。この状態から図５に示すように、搬送ロボット１２のアーム２０が水平方向からアライメント封着室６内へと入る。アーム２０上にはＭｇＯ保護膜の成膜面が鉛直下方を向いた状態(フェイスダウン)のフロントパネル７１が載置されており、アーム２０はフロントパネル７１が上側吸着装置３３と下側吸着装置４３との間に位置した状態で静止する。
【００５９】
次に、基板昇降ピン４６を上昇させる。基板昇降ピン４６が上昇すると、図６に示すように、基板昇降ピン４６の先端がフロントパネル７１の下面に当接する。
その後基板昇降ピン４６をさらに上昇させると、フロントパネル７１はアーム２０上から基板昇降ピン４６上に移し替えられ、基板昇降ピン４６の上昇とともにフロントパネル７１が上昇する。フロントパネル７１の上面が、図７に示すように基板吸着パット３６に当接したら、基板昇降ピン４６を静止させる。
【００６０】
次いで、アーム２０がアライメント封着室６外へと排出されるとともに、上側吸着装置３３が下降する。上側吸着装置３３が下降してフロントパネル７１の上面に当接したら図８に示すように上側吸着装置３３を静止させる。この状態で上側吸着装置３３内の静電吸着装置を動作させると、フロントパネル７１は上側吸着装置３３表面に静電吸着される。
【００６１】
フロントパネル７１が上側吸着装置３３の表面に吸着されたら、基板昇降ピン４６を下降させ、図９に示すように下側吸着装置４３と下側支持台（下側保持台）４２の貫通孔内に収納する。
【００６２】
上側支持台（上側保持台）３２内には、図示しない抵抗加熱型のヒータが設けられており、上側吸着装置３３表面にフロントパネル７１が吸着されたら、ヒータを起動し、フロントパネル７１を吸着した状態で加熱して、フロントパネル７１の温度を３７０℃まで昇温させる。３７０℃まで昇温した後は、ヒータはフロントパネル７１の温度を３７０℃で保持するように動作する。
【００６３】
こうしてフロントパネル７１はアライメント封着室６内に搬入され、上側吸着装置３３に保持されるが、他方、リアパネルは、不図示の搬入室へ搬入される。リアパネルが搬入室内に搬入されたら搬入室内を真空排気して真空状態にする。次に真空状態を維持しつつ搬入室内をプリベーク室５内と接続し、図２に示すアーム１３でリアパネル７２をプリベーク室５に搬入する。
【００６４】
プリベーク室５は加熱ポジションと冷却ポジションとの二段構造になっており、搬入されたリアパネル７２はまず加熱ポジションに置かれ、加熱ポジションで加熱される。リアパネル７２は５００℃程度の高温下に所定時間置かれることで、脱ガス処理がなされる。
【００６５】
脱ガス処理が終了したらリアパネル７２は冷却ポジションに移し替えられて冷却され、リアパネル７２の温度は３７０℃程度まで低下される。
その後リアパネル７２は冷却ポジションの所定位置に配置される。すると搬送ロボットのアーム２０が冷却ポジションに入り、リアパネル７２はアーム２０に表面が上方を向いた状態(フェイスアップ)で移し替えられ、搬送室４を介してアライメント封着室６へと搬入される。
【００６６】
すでにフロントパネル７１が上側吸着装置３３に吸着されているアライメント封着室６内へ、リアパネル７２がフェイスアップの状態で載置されたアーム２０が水平方向からアライメント封着室６内へと入る。アーム２０はリアパネル７２が上側吸着装置３３と下側吸着装置４３との間に位置した状態で静止する。その後、基板昇降ピン４６が上昇し、図１０に示すようにリアパネル７２の下面に当接する。さらに基板昇降ピン４６が上昇して、リアパネル７２がアーム２０から基板昇降ピン４６へと移し替えられたら、アーム２０はアライメント封着室６から排出されるとともに、基板昇降ピン４６が下降して、図１１に示すようにリアパネル７２が下側吸着装置４３の上面に載置される。この状態で下側吸着装置４３内の静電吸着装置を動作させると、リアパネル７２は下側吸着装置４３表面に静電吸着される。下側支持台（下側保持台）４２内には、図示しない抵抗加熱型のヒータが設けられており、下側吸着装置４３表面にリアパネル７１が静電吸着されたら、ヒータを起動してリアパネル７２を加熱し、リアパネル７２の温度がフロントパネル７１の温度と同じ３７０℃になるようにする。
【００６７】
こうして、一組のフロントパネル７１とリアパネル７２がアライメント封着室６内に搬入されると、アライメント封着室６内で互いに表面が対向した状態で上下に配置される。
【００６８】
その後、アライメント封着室６内で、搬入されたフロントパネル７１とリアパネル７２との位置合わせがなされる。
図１２に、アライメント封着室６内の位置合わせ機構を示す。図１２に示すように、アライメント封着室６内の上方には、図３〜図１１では図示していなかったランプ６１1、６１2が配置されており、下方に光を照射することができるようにされている。ランプ６１1、６１2の下方には、ランプ６１1、６１2と対向するようにＣＣＤ(Charge-coupled device)カメラ６２1、６２2が配置されている。
【００６９】
フロントパネル７１とリアパネル７２には、予め図示しないアライメントマークがそれぞれ形成されており、二個のアライメントマークの相対的な位置を読みとることで、フロントパネル７１とリアパネル７２との相対的な位置ズレを検出することができるようにされている。
【００７０】
かかる位置合わせ機構が設けられたアライメント封着室６内で、フロントパネル７１とリアパネル７２の相対的な位置合わせをするには、まず、ランプ６１1、６１2を発光させる。するとランプ６１1、６１2の光はそれぞれ下方のフロントパネル７１及びリアパネル７２に照射される。フロントパネル７１及びリアパネル７２に形成された各アライメントマークは、予めランプ６１1、６１2とＣＣＤカメラ６２1、６２2との間に位置するようにされており、フロントパネル７１及びリアパネル７２に照射された光はフロントパネル７１及びリアパネル７２の各アライメントマークに照射され、ＣＣＤカメラ６２1、６２2は、各アライメントマークを撮影する。
【００７１】
ＣＣＤカメラ６２1、６２2によって撮影された二個のアライメントマークの画像は不図示の制御系に転送される。制御系は撮影画像を解析し、フロントパネル７１及びリアパネル７２の相対的な位置が正しい位置にあるかどうかを判断する。正しい位置にあれば、そのままの状態を維持して位置合わせを終了するが、正しい位置に無い場合には、解析結果によって得られた相対的な位置ズレ量に基づいて駆動機構５０、５１を駆動し、下側支持台（下側保持台）４２を所定量だけ水平面内で移動させる。その後再びＣＣＤカメラ６２1、６２2は二個のアライメントマークを撮影し、相対的な位置ズレ量を再度検出し、その位置ズレ量に基づいて下側支持台（下側保持台）４２を水平面内で移動させ、フロントパネル７１及びリアパネル７２の相対的な位置が正しい位置関係になるようにする。
以上、２組のランプとＣＣＤカメラ及び２個のアライメントマークを設けた例で位置合わせについて説明したが、それぞれ３個以上設けるようにしてもよい。
【００７２】
こうして、フロントパネル７１及びリアパネル７２が正しい位置関係になったら、引き続いて、アライメント封着室６内で、フロントパネル７１及びリアパネル７２を封着する。
【００７３】
この封着工程について以下で説明する。位置合わせが終了したら、上側吸着装置３３が下降する。リアパネル７２の表面の周辺部には、熱溶融性の封着材が設けられており、フロントパネル７１と封着材とが当接したら、上側吸着装置３３を静止させる。
【００７４】
リアパネル７２には、貫通孔７３が設けられており、その下方には、上述したチップ取付軸５９が配置されている。チップ管取付軸５９は、上側吸着装置３３が静止したら上昇し始める。チップ管取付軸５９の先端にはチップ管６０が取り付けられており、チップ管取付軸５９が上昇してチップ管６０の先端がリアパネル７２の下面に当接したら、図１３に示すようにチップ管取付軸５９は静止する。このとき、チップ管６０の開口は、リアパネル７２に設けられた貫通孔７３と連通している。
【００７５】
上述したように、位置合わせにおけるフロントパネル７１及びリアパネル７２の温度は３７０℃程度であったが、上側吸着装置３３が静止したら、上側支持台（上側保持台）３２、下側支持台（下側保持台）４２内にそれぞれ設けられたヒータで、フロントパネル７１及びリアパネル７２を加熱し、両者の温度がともに４００℃程度になるようにする。すると封着材が熱溶融する。そこで上側吸着装置３３をさらに下降させ、フロントパネル７１とリアパネル７２との間が所定の間隙になるまで押圧する。
【００７６】
また、チップ管６０の先端には、熱溶融性の接着材が設けられており、上述の封着材が熱溶融するとともに、この接着材も熱溶融する。
この状態でヒータの動作を停止させ、封着材及び接着材を冷却して固化させると、フロントパネル７１が封着材によってリアパネル７２表面上に固定されるとともに、チップ管６０がリアパネル７２裏面に固定され、封着工程が終了する。
【００７７】
封着工程が終了したら、図１４に示すように上側吸着装置３３を上昇させるとともに、チップ管取付軸５９を下降させて貫通孔７３内に収納する。次に、再び基板昇降ピン４６を上昇させて、封着された一組のパネル７１、７２を所定高さに位置させる。
【００７８】
次いで、搬送ロボットのアーム２０をアライメント封着室６内に導入して一組のパネル７１、７２下に位置させた後、基板昇降ピン４６を降下させて一組のパネル７１、７２をアーム２０上に移し替え、アーム２０を排出してアライメント封着室６から搬出し、搬送室４を介して封止室９へ搬入する。
【００７９】
従来では、封着工程は大気圧条件下で行われていたので、一組のパネル間の空間にはガスが閉じ込められており、排気室で真空排気してガスを排気した後に、放電用のガスを封入して封止する必要があったが、本実施形態の製造工程では、封着工程は真空雰囲気中で行われているので、一組のパネル間の空間は真空状態にあり、改めて真空排気する必要がない。
【００８０】
従って、封着工程が終了したら、従来のように真空排気することなく、直ぐに封止室９にパネルを搬入して、封止工程を行うことができるので、製造に要する時間を短縮することができる。又、従来必要としていた排気室を必要としないので、その分製造装置の規模を小さくすることができる。
【００８１】
その後、封止室９内にネオン・キセノンガス等の放電用ガスを所定圧力まで導入する。すると放電用ガスは、チップ管６０と貫通孔７３から一組のパネル７１、７２間に導入される。一組のパネル７１、７２の間が放電用ガスで満たされ、所定圧力になったら、チップ管６０を図示しない機構で潰して貫通孔７３を塞ぎ、一組のパネル７１、７２間を気密に封止する。以上により、プラズマディスプレイ装置を得ることができる。
【００８２】
こうして製造されたプラズマディスプレイ装置を搬出室(図示せず)に搬入し、封着室９との間を遮断した後、搬出室内に大気を導入すると、プラズマディスプレイ装置を取り出すことができる。
【００８３】
その後、新たなフロントパネルをＭｇＯ成膜室２に搬入してＭｇＯ保護膜を表面に形成した後に、アライメント封着室６に搬送し、他方、新たなリアパネルをプリベーク室５に搬入して脱ガス処理をした後に、アライメント封着室６に搬送し、新たなフロントパネル及びリアパネルをアライメント封着室６内で位置合わせし、封着し、封止室へと搬入する。その後は上述の動作を繰り返すことにより、複数のプラズマディスプレイ装置を製造することができる。
【００８４】
なお、以上説明した本実施形態では、アライメント封着室６内にヒータが設けられているので、一組のパネル７１、７２を位置合わせしたら、正しい位置関係を維持しながらすぐに基板を封着温度(４００℃)まで加熱し、封着することができる。従って、従来と異なり、クリップで一組のパネルを留めて封着室へ搬送する工程を省略することができ、また、クリップを避けるため特別な搬送機構を用いる必要もない。
【００８５】
また、位置合わせを３７０℃という高温で行っているので、各パネルを室温まで冷却する必要が無い。従って、位置合わせを室温で行っていた従来に比して、パネルの冷却に要する時間を大幅に短縮することができ、処理時間を短縮して、スループットを向上させることができる。
【００８６】
さらに、以上までは、アライメント封着室６内に設けられた上側吸着装置と下側吸着装置が、静電吸着装置を有する場合について説明したが、本発明はこれに限らず、例えば図１５に示すように、それぞれの表面に吸着溝８３、８４が形成され、真空吸着装置で構成された上側吸着装置８１、下側吸着装置８２を用いてもよい。
【００８７】
このようなアライメント封着室６では、室内を真空雰囲気にすることができないので、不活性ガス雰囲気中で封着後の一組のパネル間にはガスが残留している。従って、封着処理が終了したら、封止工程の前に一組のパネル間を真空排気しなければならないが、この場合でも位置合わせと封着とはともにアライメント封着室６内で行われるので、クリップによる仮留めが不要であるという利点がある。
【符号の説明】
【００８８】
１……製造装置    ２……ＭｇＯ成膜室(成膜室)    ４……搬送室    ５……プリベーク室(脱ガス室)    ６……アライメント封着室(真空処理室)    ９……封止室  ７１……フロントパネル    ７２……リアパネル
【図１】
2010205741.tif 000003
【図２】
2010205741.tif 000004
【図３】
2010205741.tif 000005
【図４】
2010205741.tif 000006
【図５】
2010205741.tif 000007
【図６】
2010205741.tif 000008
【図７】
2010205741.tif 000009
【図８】
2010205741.tif 000010
【図９】
2010205741.tif 000011
【図１０】
2010205741.tif 000012
【図１１】
2010205741.tif 000013
【図１２】
2010205741.tif 000014
【図１３】
2010205741.tif 000015
【図１４】
2010205741.tif 000016
【図１５】
2010205741.tif 000017
【図１６】
2010205741.tif 000018
【図１７】
2010205741.tif 000019
【手続補正書】
【提出日】平成22年5月31日(2010.5.31)
【手続補正１】
【補正対象書類名】明細書
【補正対象項目名】全文
【補正方法】変更
【補正の内容】
【発明の詳細な説明】
【技術分野】
【０００１】
本発明は真空処理室、プラズマディスプレイ装置の製造装置及びプラズマディスプレイ装置の製造方法に関し、特に、フロントパネルとリアパネルとを位置合わせし、封着・封止する工程に用いられるプラズマディスプレイ装置の製造装置及び製造方法の改善に関する。
【背景技術】
【０００２】
近年、薄型で大画面を表示できるプラズマディスプレイ装置が注目されている。
図１６(ａ)の符号１１１に、ＡＣ型のプラズマディスプレイ装置の構造を示す。このプラズマディスプレイ装置１１１は、フロントパネル１２０とリアパネル１３０とを有している。
【０００３】
フロントパネル１２０とリアパネル１３０の表面には、電極１２１、１３１がそれぞれ設けられている。フロントパネル１２０とリアパネル１３０とは、その電極１２１、１３１が互いに面し、各電極１２１、１３１が互いに垂直方向に延設されるように平行に対向配置されており、複数の電極１２１、１３１のうち、適当な電極１２１、１３１を選択して電圧を印加することで、プラズマディスプレイ装置１１１上の所望位置を発光させられるように構成されている。
【０００４】
このような構成のプラズマディスプレイ装置を製造するには、所定の部材が表面にそれぞれ形成されたフロントパネルとリアパネルとを位置合わせして封着し、その後内部に放電用のガスを封入して封止するという処理が必要になる。
【０００５】
このようにフロントパネルとリアパネルとを位置合わせし、封着する装置として、図１７の符号１０１に示すような製造装置が提案されている。
【０００６】
この製造装置１０１は、ＭｇＯ成膜室１０２と、蒸着出口室１０３と、搬送室１０４と、プリベーク室１０５と、アライメント封着室１０６と、封着室１０７と、排気室１０８と、封止室１０９とを有している。
【０００７】
ＭｇＯ成膜室１０２の前段には、図示しない搬入室が配置されており、後段には蒸着出口室１０３が配置されている。蒸着出口室１０３は、搬送室１０４に配置されている。
【０００８】
搬送室１０４には、プリベーク室１０５と、アライメント封着室１０６と、封着室１０７とが配置されている。封着室１０７の後段には、排気室１０８が配置され、排気室１０８の後段には封止室１０９が配置されており、封止室１０９の後段には図示しない搬出室が配置されている。
【０００９】
上述した製造装置１０１を用いて、フロントパネルとリアパネルを封着するには、まず、予め透明電極膜等の所定の部材が形成されたフロントパネルを、不図示の搬入室に搬入する。
【００１０】
次いで搬入室を真空排気し、搬入室内が真空雰囲気になったら、搬入室内を、予め真空排気されたＭｇＯ成膜室１０２内と接続し、フロントパネルをＭｇＯ成膜室１０２に搬入する。次にフロントパネルを加熱し、１５０℃〜２００℃程度の温度にした状態で、蒸着法により、フロントパネル表面にＭｇＯ保護膜を成膜する。
【００１１】
所定膜厚のＭｇＯ保護膜が成膜されたら、フロントパネルを蒸着出口室１０３に搬入した後、フロントパネルの温度が室温になるまで冷却する。フロントパネルの温度が室温まで低下したら、フロントパネルを搬送室１０４を介してアライメント封着室１０６に搬入する。搬入されたフロントパネルは、アライメント封着室１０６内で、図示しない基板保持機構によりＭｇＯ保護膜の成膜面が下向きの状態で保持される。この基板保持機構は、真空吸着装置で構成されており、そのためアライメント封着室１０６内の圧力は、大気圧にされている。
【００１２】
他方、プリベーク室１０５の前段には図示しない搬入室が設けられており、予め所定の部材が表面に形成されたリアパネルを搬入室に搬入した後に、不図示の搬送機構でプリベーク室１０５へと搬送する。
【００１３】
次いで、大気圧雰囲気中のプリベーク室１０５で、リアパネルを５００℃程度の高温になるまで加熱して脱ガス処理を行う。その後リアパネルを冷却し、リアパネルの温度が室温まで低下したら、リアパネルを搬送室１０４を介してアライメント封着室１０６に搬入する。搬入されたリアパネルは、図示しない基板保持機構により、表面が上向きの状態でフロントパネルと対向するように保持される。
【００１４】
次に、大気圧雰囲気中のアライメント封着室１０６で、フロントパネルとリアパネルとの相対的な位置合わせを行う。位置合わせが終了したらフロントパネルとリアパネルとをクリップ等で仮留めし、パネル間の相対的な位置がずれないようにしておく。
次いで、フロントパネル及びリアパネルを搬送室１０４を介して、内部圧力が大気圧にされた封着室１０７に搬入する。
【００１５】
リアパネルの断面図を図１６(ｂ)の符号１３０に示す。リアパネル１３０表面の周辺には、熱溶融性の封着材１５８が形成されており、封着材１５８をフロントパネル表面に当接させ、４００℃程度まで加熱すると、封着材１５８が熱溶融してフロントパネルと密着する。この状態からパネルを冷却させて封着材を固化させると、フロントパネルとリアパネルとが封着される。
【００１６】
リアパネルの一部には、図示しない貫通孔が予め設けられており、この貫通孔と連通する開口を有するチップ管が予め取り付けられている。このため、封着された状態では、フロントパネルとリアパネルとの間の空間は、貫通孔及びチップ管を介して外部と通じている。
【００１７】
その後、封着された一組のパネルを排気室１０８に搬入し、排気室１０８内を真空排気する。すると、一組のパネル間も、貫通孔及びチップ管から真空排気される。
【００１８】
次いで、排気室１０８内を、真空排気された封止室１０９内と接続し、一組のフロントパネル及びリアパネルを封止室１０９内に搬入する。その後、封止室１０９内に放電用ガスを所定圧力まで導入すると、真空状態にあった一組のパネル間にも、チップ管及び貫通孔から放電ガスが導入される。一組のパネル間が所定圧力になったらチップ管を潰して貫通孔を塞ぎ、一組のパネル間を気密に封止すると、プラズマディスプレイ装置を得ることができる。
【００１９】
こうして製造されたプラズマディスプレイ装置を搬出室(図示せず)に搬入し、封止室１０９との間を遮断した後、搬出室内に大気を導入すると、プラズマディスプレイ装置を取り出すことができる。
【００２０】
上述した製造装置１０１では、上述したようにアライメント封着室１０６でフロントパネルとリアパネルとを位置合わせした後に、アライメント封着室１０６内で、フロントパネルとリアパネルとをクリップ等により仮留めし、位置ズレが生じないようにしてから、封着室１０７へと搬送していた。このように位置ズレが生じないようにクリップでフロントパネルとリアパネルとを仮留めすることは難しい。又、クリップで仮留めした後に、封着室１０７へ搬送する際に、クリップと搬送機構とが接触することで位置ズレが生じてしまうおそれがあるので、搬送機構がクリップと接触しないように構成された特別な搬送機構を用いる必要があった。
【００２１】
また、従来では、フロントパネルとリアパネルを、それぞれＭｇＯ成膜時や、脱ガス処理時に加熱した後に、各パネルを室温まで冷却して位置合わせし、その後、再びフロントパネルとリアパネルとを加熱して封着していた。一旦加熱したパネルを室温まで冷却するのに要する時間は極めて長いので、製造に要する時間が長くなり、スループットが低下してしまうという問題が生じていた。
【先行技術文献】
【特許文献】
【００２２】
【特許文献１】特開平１１−３２９２４６号公報
【特許文献２】特開平１１−１３５０１８号公報
【発明の概要】
【発明が解決しようとする課題】
【００２３】
本発明は上記従来技術の不都合を解決するために創作されたものであり、その目的は、製造工程が煩雑にならないようにし、スループットの向上を図ることを可能にする技術を提供することにある。
【課題を解決するための手段】
【００２４】
上記課題を解決するために、請求項１記載の発明は、フロントパネルとリアパネルからなるプラズマディスプレイ装置の前記フロントパネル表面に保護膜を成膜する成膜室と、前記リアパネルを加熱して脱ガス処理を行うプリべーク室と、前記成膜室及び前記プリべーク室のいずれにも接続され、前記フロントパネル及び前記リアパネルを搬送する搬送機構を備えた搬送室と、前記搬送室を介して搬入される前記フロントパネル及び前記リアパネルを位置合わせして封着するアライメント封着室とを有するプラズマディスプレイ装置の製造装置であって、前記アライメント封着室は、搬入された前記フロントパネル及び前記リアパネルを、前記フロントパネルと前記リアパネルの表面が互いに対向した状態で水平に保持し、前記フロントパネルと前記リアパネルの相対的な位置合わせができるように構成されたパネル保持機構を備え、前記パネル保持機構は、上側のパネル保持台と、下側のパネル保持台とを有し、各パネル保持台には、それぞれ加熱機構と静電吸着装置が設けられ、前記フロントパネルと前記リアパネルは、それぞれ前記パネル保持台に密着保持された状態で、熱伝導により加熱することができるように構成されたことを特徴とする。
請求項２記載の発明は、請求項１記載のプラズマディスプレイ装置の製造装置であって、前記アライメント封着室に、チップ管を前記リアパネル表面に当設できるように構成された当接機構を設けたことを特徴とする。
請求項３記載の発明は、請求項１または請求項２記載のプラズマディスプレイ装置の製造装置であって、前記アライメント封着室外に配置された駆動機構と、前記アライメント封着室内の真空状態を維持した状態で、前記駆動機構が生成した駆動力を前記パネル保持機構に伝達させる伝達機構とを有することを特徴とする。
請求項４記載の発明は、請求項１乃至請求項３のいずれか１項記載のプラズマディスプレイ装置の製造装置であって、前記搬送室に、前記アライメント封着室で封着した前記フロントパネルと前記リアパネルを封止する封止室を接続したことを特徴とする。
【００２５】
本発明の真空処理室によれば、一方のパネル表面の周囲に、予め熱溶融性の封着材が設けられた場合には、位置合わせが終了した二枚のパネルの相対的な位置を維持しながら、封着材が設けられていない側のパネル表面を封着材と当接させ、加熱機構で二枚のパネルを加熱して封着材を熱溶融させた後に、封着材を冷却して固化させることにより、二枚のパネルを封着材で封着することができる。
【００２６】
このように、一つの真空処理室で二枚のパネルの相対的な位置合わせをするのみならず、二枚のパネルを封着させることができ、位置合わせ後の正しい位置関係を維持しながら、二枚のパネルを直ぐに封着することができるので、従来のようにクリップで一組のパネルを留めて封着室に搬送する工程が不要になり、工程数を削減できる。また、クリップと接触しないようにされた特別な搬送機構も必要としない。
【００２７】
なお、本発明の真空処理室において、パネル保持機構には、静電吸着装置が設けられるように構成してもよい。この場合には、パネルを真空雰囲気中で吸着保持することができる。
【００２８】
また、本発明の真空処理室において、パネル保持機構には、真空吸着装置が設けられるように構成してもよい。この場合には、パネルを大気圧条件下で吸着保持することができる。
【００２９】
さらに、本発明の真空処理室において、パネル表面にチップ管を当接可能な当接機構を有している。
一方のパネルに貫通孔が設けられた場合には、上述の貫通孔と連通するように、当接機構で、熱溶融性の接着材が先端に設けられたチップ管先端をパネル表面に当接させ、封着する際に加熱機構で二枚のパネルを加熱すると、チップ管先端の接着材が熱溶融し、その後冷却されて固化することにより、貫通孔と連通した状態でチップ管をパネル表面に接着させることができる。
【００３０】
また、本発明の真空処理室において、駆動機構を真空槽内と遮断した状態で、駆動力をパネル保持機構に伝達させる伝達機構を有するように構成してもよい。駆動機構が真空槽内雰囲気では耐えられない場合、例えば真空槽内の処理が高温で行われ、高温条件下に駆動機構を晒すと動作に支障をきたすため、真空槽内に駆動機構を設けることができない場合には、伝達機構で駆動力のみをパネル保持機構に伝達することで、駆動機構を真空槽内雰囲気に晒すことなく、パネル保持機構を駆動することができる。
【００３１】
さらに、本発明のプラズマディスプレイ装置の製造装置によれば、成膜室と、脱ガス室と、搬送室と、本発明の真空処理室を有している。
かかる構成の製造装置は、本発明の真空処理室を有しているので、１個の真空処理室内で二枚のパネルを位置合わせして封着することができる。このため、従来と異なり、クリップで一組のパネルを留めて封着室に搬送し、封着するという工程が不要になり工程数を削減できる。
【００３２】
また、本発明のプラズマディスプレイ装置の製造装置によれば、搬送室に、封止室が接続されるように構成してもよい。
このように構成し、封着工程を真空雰囲気で行った場合には、本発明の真空処理室内で封着工程が終了した一組のパネルを、搬送室を介してすぐに封止室に搬入することができる。
【００３３】
さらに、本発明のプラズマディスプレイ装置の製造方法によれば、位置合わせ工程におけるリアパネルの温度は、脱ガスのための加熱工程におけるリアパネルの温度より所定温度だけ低下するようにされている。
【００３４】
従来では位置合わせ工程の際に各パネルを室温まで冷却していたが、本発明の製造方法では、位置合わせ時には室温まで冷却する必要がない。そのため、冷却に要する時間を短縮し、製造に要する時間を従来に比して短縮することができる。
【００３５】
また、本発明のプラズマディスプレイ装置の製造方法において、位置合わせ工程と封着工程とは、ともに同一の処理室内で行われるように構成してもよい。
さらに、本発明のプラズマディスプレイ装置の製造方法において、リアパネルの加熱工程、位置合わせ工程及び封着工程は、いずれも真空雰囲気中で行われている。
【００３６】
このように構成した場合には、封着工程終了後、封着された一組のパネルの間は真空状態になっているため、封着終了後、すぐにパネル間に放電用のガスを入れて封止することができる。従って、位置合わせ工程及び封着工程を大気圧条件下で行っていたため、封着工程終了後に一組のパネル間を真空排気する必要があった従来と異なり、真空排気に要する時間が不要なので、従来に比して製造に要する時間を短縮することができる。
【００３７】
また、本発明のプラズマディスプレイ装置の製造方法において、位置合わせ工程と封着工程において、フロントパネル及びリアパネルは、パネル保持台に静電吸着されるように構成してもよい。
【００３８】
さらに、本発明のプラズマディスプレイ装置の製造方法において、位置合わせ工程と封着工程は大気圧条件下で行われ、位置合わせ工程と封着工程において、フロントパネル及びリアパネルは、パネル保持台に真空吸着されるように構成してもよい。
【００３９】
また、本発明のプラズマディスプレイ装置の製造方法において、位置合わせ工程の前に、フロントパネルの温度を、位置合わせ工程におけるリアパネルの温度と同じ温度になるように制御するように構成してもよい。
このように構成することにより、フロントパネルとリアパネルの温度がともに等しい状態で位置合わせを行うことができる。
【００４０】
さらに、本発明のプラズマディスプレイ装置の製造方法において、熱溶融性の接着材が先端に設けられたチップ管を、フロントパネル又はリアパネルのいずれか一方に予め当接させ、封着工程で、封着材を熱溶融、固化するとともに接着材を熱溶融、固化させるように構成してもよい。
【００４１】
このように構成し、いずれか一方又は両方のパネルに貫通孔が設けられた場合には、この貫通孔と連通するように、チップ管先端をパネル表面に当接させ、封着工程でチップ管先端の接着材が熱溶融した後に冷却・固化することにより、開口が貫通孔と連通した状態でチップ管をパネル表面に接着させることができる。
【発明の効果】
【００４２】
二枚のパネルの位置合わせ工程と封着工程を一つの処理室で行うことができる。
また、位置合わせ及び封着工程を真空雰囲気中で行っており、封着後にパネル間を真空排気することなく封止工程に移行することができるので、製造に要する時間を短縮し、スループットを向上することができる。
【図面の簡単な説明】
【００４３】
【図１】本発明の一実施形態の製造装置の構成を説明する図
【図２】本発明の一実施形態の製造装置の、搬送室周辺の処理室の接続関係を説明する図
【図３】本発明の一実施形態のアライメント封着室の構成を説明する側断面図
【図４】本発明の一実施形態のアライメント封着室にフロントパネルを搬入する工程を説明する図
【図５】その続きの工程を説明する図
【図６】その続きの工程を説明する図
【図７】その続きの工程を説明する図
【図８】その続きの工程を説明する図
【図９】その続きの工程を説明する図
【図１０】本発明の一実施形態のアライメント封着室にリアパネルを搬入する工程を説明する図
【図１１】その続きの工程を説明する図
【図１２】本発明の一実施形態のアライメント封着室の位置合わせに関する機構を説明する図
【図１３】アライメント封着室における封着工程を説明する図
【図１４】その続きの工程を説明する図
【図１５】本発明の他の実施形態のアライメント封着室を説明する図
【図１６】(ａ)：一般のプラズマディスプレイ装置を説明する図  (ｂ)：一般のリアパネルを説明する断面図
【図１７】従来の製造装置の構成を説明する図
【発明を実施するための形態】
【００４４】
以下で図面を参照し、本発明の実施形態について説明する。
図１の符号１に、プラズマディスプレイ装置の製造に用いられる本発明の製造装置を示す。
この製造装置１は、ＭｇＯ成膜室２と、蒸着出口室３と、搬送室４と、プリベーク室５と、アライメント封着室６と、封止室９とを有している。
【００４５】
ＭｇＯ成膜室２の前段には、図示しない搬入室が配置されており、後段には蒸着出口室３と、搬送室４とが順に配置されている。
搬送室４には、プリベーク室５と、アライメント封着室６と、封止室９とが配置されている。このうち封止室９の後段には図示しない搬出室が配置されている。
【００４６】
上述した製造装置１を用いて、予め所定部材が表面に形成されたフロントパネルとリアパネルを位置合わせした後に封着、封止してプラズマディスプレイ装置を製造する工程について以下で説明する。
【００４７】
初期状態では、予めＭｇＯ成膜室２と、蒸着出口室３と、搬送室４と、プリベーク室５と、アライメント封着室６と、封止室９とは、ともに真空排気されているものとする。
まず、予め透明電極膜などの所定部材が表面に形成されたフロントパネルを、ＭｇＯ成膜室前段の搬入室に搬入する。
【００４８】
次いで搬入室を真空排気し、真空状態になったらＭｇＯ成膜室２内部と接続し、フロントパネルをＭｇＯ成膜室２内に搬入する。ＭｇＯ成膜室２内には不図示のヒータが設けられており、ヒータでフロントパネルを加熱し、１５０℃〜２００℃の温度に保つ。その後蒸着法で、フロントパネルの表面にＭｇＯ保護膜を成膜する。
【００４９】
所定膜厚のＭｇＯ保護膜が成膜されたら、図示しない搬送機構でフロントパネルを蒸着出口室３に搬入する。蒸着出口室３内には図２に示すように位置調整機構１１が設けられており、搬入されたフロントパネルは位置調整機構１１により、蒸着出口室３内の所定位置に配置される。
【００５０】
フロントパネルが所定位置に配置されたら、搬送ロボット１２が蒸着出口室３内のフロントパネルを保持し、蒸着出口室３から搬出し、搬送室４を介してアライメント封着室６に搬入する。
【００５１】
アライメント封着室６の詳細な構成を図３の断面図に示す。アライメント封着室６は、上側昇降軸３１と、上側保持台３２と、上側吸着装置３３と、支持板３４と、支持棒３５と、基板吸着パット３６と、ベローズ３７と、下側支持軸４１と、下側保持台４２と、下側吸着装置４３と、基板昇降軸４４と、基板昇降支持板４５と、基板昇降ピン４６と、ベローズ４７と、ベローズ４８と、アライメント機構５０と、チップ管取付軸５９とを有している。
【００５２】
アライメント封着室６内部の上方には、板状の上側吸着装置３３が配置されている。上側吸着装置３３は、その上方に配置された板状の上側保持台３２とともに本発明の上側のパネル保持部を構成しており、上側保持台３２の下面に固定され、上側保持台３２の上部は、その上方に設けられた上側昇降軸３１の下端に取り付けられている。
【００５３】
上側昇降軸３１の上端は、ベローズ３７を介して不図示の駆動機構に接続されており、駆動機構を動作させると、上側昇降軸３１が上下して、上側吸着装置３３を上下方向に移動させることができるように構成されている。
【００５４】
上側吸着装置３３と上側保持台３２とには貫通孔が設けられており、この貫通孔を挿通するように支持棒３５が配置されている。支持棒３５の上端は、支持板３４に取り付けられており、支持棒３５の下端には、ゴム製の基板吸着パット３６が下向きに取り付けられている。支持板３４は不図示の固定機構でアライメント封着室６内に固定されており、支持棒３５と基板吸着パット３６とは移動できないように構成されている。
【００５５】
アライメント封着室６内部の下方には、板状の下側吸着装置４３が配置されている。下側吸着装置４３は、その下方に配置された板状の下側保持台４２とともに本発明の下側のパネル保持部を構成しており、下側保持台４２上に固定され、下側保持台４２の下面は、その下方に設けられた下側支持軸４１の上端に取り付けられている。下側支持軸４１の下端は、ベローズ４７を介してアライメントテーブル５５に固定されている。アライメントテーブル５５には駆動機構５０が接続されており、駆動機構５０を動作させると、下側保持台４２を水平面内で移動させることができるように構成されている。
【００５６】
下側吸着装置４３と下側保持台４２には、複数の貫通孔が設けられており、各貫通孔を挿通するように基板昇降ピン４６が配置されている。基板昇降ピン４６の下端は基板昇降支持板４５に取り付けられ、基板昇降支持板４５はその下方に配置された基板昇降軸４４の上端に取り付けられている。基板昇降軸４４の下端はベローズ４８を介して昇降機構に接続されており、昇降機構を動作させると、基板昇降軸４４が動作して、基板昇降ピン４６を上下させることができるように構成されている。
【００５７】
下側吸着装置４３及び下側保持台４２には、基板昇降ピン４６を挿通する複数の貫通孔の他に、１個の貫通孔が設けられており、この貫通孔を挿通するように後述するチップ管取付軸５９が配置されている。チップ管取付軸５９の下端はベローズ５８を介して駆動機構に接続されており、駆動機構を動作させるとチップ管取付軸５９を上下できるように構成されている。
【００５８】
図４に、フロントパネルが搬入される前のアライメント封着室６の状態を示す。この状態から図５に示すように、搬送ロボット１２のアーム２０が水平方向からアライメント封着室６内へと入る。アーム２０上にはＭｇＯ保護膜の成膜面が鉛直下方を向いた状態(フェイスダウン)のフロントパネル７１が載置されており、アーム２０はフロントパネル７１が上側吸着装置３３と下側吸着装置４３との間に位置した状態で静止する。
【００５９】
次に、基板昇降ピン４６を上昇させる。基板昇降ピン４６が上昇すると、図６に示すように、基板昇降ピン４６の先端がフロントパネル７１の下面に当接する。
その後基板昇降ピン４６をさらに上昇させると、フロントパネル７１はアーム２０上から基板昇降ピン４６上に移し替えられ、基板昇降ピン４６の上昇とともにフロントパネル７１が上昇する。フロントパネル７１の上面が、図７に示すように基板吸着パット３６に当接したら、基板昇降ピン４６を静止させる。
【００６０】
次いで、アーム２０がアライメント封着室６外へと排出されるとともに、上側吸着装置３３が下降する。上側吸着装置３３が下降してフロントパネル７１の上面に当接したら図８に示すように上側吸着装置３３を静止させる。この状態で上側吸着装置３３内の静電吸着装置を動作させると、フロントパネル７１は上側吸着装置３３表面に静電吸着される。
【００６１】
フロントパネル７１が上側吸着装置３３の表面に吸着されたら、基板昇降ピン４６を下降させ、図９に示すように下側吸着装置４３と下側保持台４２の貫通孔内に収納する。
【００６２】
上側保持台３２内には、図示しない抵抗加熱型のヒータが設けられており、上側吸着装置３３表面にフロントパネル７１が吸着されたら、ヒータを起動し、フロントパネル７１を吸着した状態で加熱して、フロントパネル７１の温度を３７０℃まで昇温させる。３７０℃まで昇温した後は、ヒータはフロントパネル７１の温度を３７０℃で保持するように動作する。
【００６３】
こうしてフロントパネル７１はアライメント封着室６内に搬入され、上側吸着装置３３に保持されるが、他方、リアパネルは、不図示の搬入室へ搬入される。リアパネルが搬入室内に搬入されたら搬入室内を真空排気して真空状態にする。次に真空状態を維持しつつ搬入室内をプリベーク室５内と接続し、図２に示すアーム１３でリアパネル７２をプリベーク室５に搬入する。
【００６４】
プリベーク室５は加熱ポジションと冷却ポジションとの二段構造になっており、搬入されたリアパネル７２はまず加熱ポジションに置かれ、加熱ポジションで加熱される。リアパネル７２は５００℃程度の高温下に所定時間置かれることで、脱ガス処理がなされる。
【００６５】
脱ガス処理が終了したらリアパネル７２は冷却ポジションに移し替えられて冷却され、リアパネル７２の温度は３７０℃程度まで低下される。
その後リアパネル７２は冷却ポジションの所定位置に配置される。すると搬送ロボットのアーム２０が冷却ポジションに入り、リアパネル７２はアーム２０に表面が上方を向いた状態(フェイスアップ)で移し替えられ、搬送室４を介してアライメント封着室６へと搬入される。
【００６６】
すでにフロントパネル７１が上側吸着装置３３に吸着されているアライメント封着室６内へ、リアパネル７２がフェイスアップの状態で載置されたアーム２０が水平方向からアライメント封着室６内へと入る。アーム２０はリアパネル７２が上側吸着装置３３と下側吸着装置４３との間に位置した状態で静止する。その後、基板昇降ピン４６が上昇し、図１０に示すようにリアパネル７２の下面に当接する。さらに基板昇降ピン４６が上昇して、リアパネル７２がアーム２０から基板昇降ピン４６へと移し替えられたら、アーム２０はアライメント封着室６から排出されるとともに、基板昇降ピン４６が下降して、図１１に示すようにリアパネル７２が下側吸着装置４３の上面に載置される。この状態で下側吸着装置４３内の静電吸着装置を動作させると、リアパネル７２は下側吸着装置４３表面に静電吸着される。下側保持台４２内には、図示しない抵抗加熱型のヒータが設けられており、下側吸着装置４３表面にリアパネル７２が静電吸着されたら、ヒータを起動してリアパネル７２を加熱し、リアパネル７２の温度がフロントパネル７１の温度と同じ３７０℃になるようにする。
【００６７】
こうして、一組のフロントパネル７１とリアパネル７２がアライメント封着室６内に搬入されると、アライメント封着室６内で互いに表面が対向した状態で上下に配置される。
【００６８】
その後、アライメント封着室６内で、搬入されたフロントパネル７１とリアパネル７２との位置合わせがなされる。
図１２に、アライメント封着室６内の位置合わせ機構を示す。図１２に示すように、アライメント封着室６内の上方には、図３〜図１１では図示していなかったランプ６１1、６１2が配置されており、下方に光を照射することができるようにされている。ランプ６１1、６１2の下方には、ランプ６１1、６１2と対向するようにＣＣＤ(Charge-coupled device)カメラ６２1、６２2が配置されている。
【００６９】
フロントパネル７１とリアパネル７２には、予め図示しないアライメントマークがそれぞれ形成されており、二個のアライメントマークの相対的な位置を読みとることで、フロントパネル７１とリアパネル７２との相対的な位置ズレを検出することができるようにされている。
【００７０】
かかる位置合わせ機構が設けられたアライメント封着室６内で、フロントパネル７１とリアパネル７２の相対的な位置合わせをするには、まず、ランプ６１1、６１2を発光させる。するとランプ６１1、６１2の光はそれぞれ下方のフロントパネル７１及びリアパネル７２に照射される。フロントパネル７１及びリアパネル７２に形成された各アライメントマークは、予めランプ６１1、６１2とＣＣＤカメラ６２1、６２2との間に位置するようにされており、フロントパネル７１及びリアパネル７２に照射された光はフロントパネル７１及びリアパネル７２の各アライメントマークに照射され、ＣＣＤカメラ６２1、６２2は、各アライメントマークを撮影する。
【００７１】
ＣＣＤカメラ６２1、６２2によって撮影された二個のアライメントマークの画像は不図示の制御系に転送される。制御系は撮影画像を解析し、フロントパネル７１及びリアパネル７２の相対的な位置が正しい位置にあるかどうかを判断する。正しい位置にあれば、そのままの状態を維持して位置合わせを終了するが、正しい位置に無い場合には、解析結果によって得られた相対的な位置ズレ量に基づいて駆動機構５０、５１を駆動し、下側保持台４２を所定量だけ水平面内で移動させる。その後再びＣＣＤカメラ６２1、６２2は二個のアライメントマークを撮影し、相対的な位置ズレ量を再度検出し、その位置ズレ量に基づいて下側保持台４２を水平面内で移動させ、フロントパネル７１及びリアパネル７２の相対的な位置が正しい位置関係になるようにする。
以上、２組のランプとＣＣＤカメラ及び２個のアライメントマークを設けた例で位置合わせについて説明したが、それぞれ３個以上設けるようにしてもよい。
【００７２】
こうして、フロントパネル７１及びリアパネル７２が正しい位置関係になったら、引き続いて、アライメント封着室６内で、フロントパネル７１及びリアパネル７２を封着する。
【００７３】
この封着工程について以下で説明する。位置合わせが終了したら、上側吸着装置３３が下降する。リアパネル７２の表面の周辺部には、熱溶融性の封着材が設けられており、フロントパネル７１と封着材とが当接したら、上側吸着装置３３を静止させる。
【００７４】
リアパネル７２には、貫通孔７３が設けられており、その下方には、上述したチップ管取付軸５９が配置されている。チップ管取付軸５９は、上側吸着装置３３が静止したら上昇し始める。チップ管取付軸５９の先端にはチップ管６０が取り付けられており、チップ管取付軸５９が上昇してチップ管６０の先端がリアパネル７２の下面に当接したら、図１３に示すようにチップ管取付軸５９は静止する。このとき、チップ管６０の開口は、リアパネル７２に設けられた貫通孔７３と連通している。
【００７５】
上述したように、位置合わせにおけるフロントパネル７１及びリアパネル７２の温度は３７０℃程度であったが、上側吸着装置３３が静止したら、上側保持台３２、下側保持台４２内にそれぞれ設けられたヒータで、フロントパネル７１及びリアパネル７２を加熱し、両者の温度がともに４００℃程度になるようにする。すると封着材が熱溶融する。そこで上側吸着装置３３をさらに下降させ、フロントパネル７１とリアパネル７２との間が所定の間隙になるまで押圧する。
【００７６】
また、チップ管６０の先端には、熱溶融性の接着材が設けられており、上述の封着材が熱溶融するとともに、この接着材も熱溶融する。
この状態でヒータの動作を停止させ、封着材及び接着材を冷却して固化させると、フロントパネル７１が封着材によってリアパネル７２表面上に固定されるとともに、チップ管６０がリアパネル７２裏面に固定され、封着工程が終了する。
【００７７】
封着工程が終了したら、図１４に示すように上側吸着装置３３を上昇させるとともに、チップ管取付軸５９を下降させて貫通孔７３内に収納する。次に、再び基板昇降ピン４６を上昇させて、封着された一組のパネル７１、７２を所定高さに位置させる。
【００７８】
次いで、搬送ロボットのアーム２０をアライメント封着室６内に導入して一組のパネル７１、７２下に位置させた後、基板昇降ピン４６を降下させて一組のパネル７１、７２をアーム２０上に移し替え、アーム２０を排出してアライメント封着室６から搬出し、搬送室４を介して封止室９へ搬入する。
【００７９】
従来では、封着工程は大気圧条件下で行われていたので、一組のパネル間の空間にはガスが閉じ込められており、排気室で真空排気してガスを排気した後に、放電用のガスを封入して封止する必要があったが、本実施形態の製造工程では、封着工程は真空雰囲気中で行われているので、一組のパネル間の空間は真空状態にあり、改めて真空排気する必要がない。
【００８０】
従って、封着工程が終了したら、従来のように真空排気することなく、直ぐに封止室９にパネルを搬入して、封止工程を行うことができるので、製造に要する時間を短縮することができる。又、従来必要としていた排気室を必要としないので、その分製造装置の規模を小さくすることができる。
【００８１】
その後、封止室９内にネオン・キセノンガス等の放電用ガスを所定圧力まで導入する。すると放電用ガスは、チップ管６０と貫通孔７３から一組のパネル７１、７２間に導入される。一組のパネル７１、７２の間が放電用ガスで満たされ、所定圧力になったら、チップ管６０を図示しない機構で潰して貫通孔７３を塞ぎ、一組のパネル７１、７２間を気密に封止する。以上により、プラズマディスプレイ装置を得ることができる。
【００８２】
こうして製造されたプラズマディスプレイ装置を搬出室(図示せず)に搬入し、封止室９との間を遮断した後、搬出室内に大気を導入すると、プラズマディスプレイ装置を取り出すことができる。
【００８３】
その後、新たなフロントパネルをＭｇＯ成膜室２に搬入してＭｇＯ保護膜を表面に形成した後に、アライメント封着室６に搬送し、他方、新たなリアパネルをプリベーク室５に搬入して脱ガス処理をした後に、アライメント封着室６に搬送し、新たなフロントパネル及びリアパネルをアライメント封着室６内で位置合わせし、封着し、封止室９へと搬入する。その後は上述の動作を繰り返すことにより、複数のプラズマディスプレイ装置を製造することができる。
【００８４】
なお、以上説明した本実施形態では、アライメント封着室６内にヒータが設けられているので、一組のパネル７１、７２を位置合わせしたら、正しい位置関係を維持しながらすぐに基板を封着温度(４００℃)まで加熱し、封着することができる。従って、従来と異なり、クリップで一組のパネルを留めて封着室へ搬送する工程を省略することができ、また、クリップを避けるため特別な搬送機構を用いる必要もない。
【００８５】
また、位置合わせを３７０℃という高温で行っているので、各パネルを室温まで冷却する必要が無い。従って、位置合わせを室温で行っていた従来に比して、パネルの冷却に要する時間を大幅に短縮することができ、処理時間を短縮して、スループットを向上させることができる。
【００８６】
さらに、以上までは、アライメント封着室６内に設けられた上側吸着装置と下側吸着装置が、静電吸着装置を有する場合について説明したが、本発明はこれに限らず、例えば図１５に示すように、それぞれの表面に吸着溝８３、８４が形成され、真空吸着装置で構成された上側吸着装置８１、下側吸着装置８２を用いてもよい。
【００８７】
このようなアライメント封着室６では、室内を真空雰囲気にすることができないので、不活性ガス雰囲気中で封着後の一組のパネル間にはガスが残留している。従って、封着処理が終了したら、封止工程の前に一組のパネル間を真空排気しなければならないが、この場合でも位置合わせと封着とはともにアライメント封着室６内で行われるので、クリップによる仮留めが不要であるという利点がある。
【符号の説明】
【００８８】
１……製造装置    ２……ＭｇＯ成膜室(成膜室)    ４……搬送室    ５……プリベーク室(脱ガス室)    ６……アライメント封着室(真空処理室)    ９……封止室  ７１……フロントパネル    ７２……リアパネル
【手続補正２】
【補正対象書類名】特許請求の範囲
【補正対象項目名】全文
【補正方法】変更
【補正の内容】
【特許請求の範囲】
【請求項１】
フロントパネルとリアパネルからなるプラズマディスプレイ装置の前記フロントパネル表面に保護膜を成膜する成膜室と、
前記リアパネルを加熱して脱ガス処理を行うプリべーク室と、
前記成膜室及び前記プリべーク室のいずれにも接続され、前記フロントパネル及び前記リアパネルを搬送する搬送機構を備えた搬送室と、前記搬送室を介して搬入される前記フロントパネル及び前記リアパネルを位置合わせして封着するアライメント封着室とを有するプラズマディスプレイ装置の製造装置であって、
前記アライメント封着室は、搬入された前記フロントパネル及び前記リアパネルを、前記フロントパネルと前記リアパネルの表面が互いに対向した状態で水平に保持し、
前記フロントパネルと前記リアパネルの相対的な位置合わせができるように構成されたパネル保持機構を備え、
前記パネル保持機構は、上側のパネル保持台と、下側のパネル保持台とを有し、
各パネル保持台には、それぞれ加熱機構と静電吸着装置が設けられ、前記フロントパネルと前記リアパネルは、それぞれ前記パネル保持台に密着保持された状態で、熱伝導により加熱することができるように構成されたことを特徴とするプラズマディスプレイ装置の製造装置。
【請求項２】
前記アライメント封着室に、チップ管を前記リアパネル表面に当設できるように構成された当接機構を設けたことを特徴とする請求項１記載のプラズマディスプレイ装置の製造装置。
【請求項３】
前記アライメント封着室外に配置された駆動機構と、前記アライメント封着室内の真空状態を維持した状態で、前記駆動機構が生成した駆動力を前記パネル保持機構に伝達させる伝達機構とを有することを特徴とする請求項１または請求項２記載のプラズマディスプレイ装置の製造装置。
【請求項４】
前記搬送室に、前記アライメント封着室で封着した前記フロントパネルと前記リアパネルを封止する封止室を接続したことを特徴とする請求項１乃至請求項３のいずれか１項記載のプラズマディスプレイ装置の製造装置。
【手続補正書】
【提出日】平成22年7月8日(2010.7.8)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイ装置の製造装置に関し、特に、フロントパネルとリアパネルとを位置合わせし、封着・封止する工程に用いられるプラズマディスプレイ装置の製造装置の改善に関する。
【背景技術】
【０００２】
近年、薄型で大画面を表示できるプラズマディスプレイ装置が注目されている。
図１６(ａ)の符号１１１に、ＡＣ型のプラズマディスプレイ装置の構造を示す。このプラズマディスプレイ装置１１１は、フロントパネル１２０とリアパネル１３０とを有している。
【０００３】
フロントパネル１２０とリアパネル１３０の表面には、電極１２１、１３１がそれぞれ設けられている。フロントパネル１２０とリアパネル１３０とは、その電極１２１、１３１が互いに面し、各電極１２１、１３１が互いに垂直方向に延設されるように平行に対向配置されており、複数の電極１２１、１３１のうち、適当な電極１２１、１３１を選択して電圧を印加することで、プラズマディスプレイ装置１１１上の所望位置を発光させられるように構成されている。
【０００４】
このような構成のプラズマディスプレイ装置を製造するには、所定の部材が表面にそれぞれ形成されたフロントパネルとリアパネルとを位置合わせして封着し、その後内部に放電用のガスを封入して封止するという処理が必要になる。
【０００５】
このようにフロントパネルとリアパネルとを位置合わせし、封着する装置として、図１７の符号１０１に示すような製造装置が提案されている。
【０００６】
この製造装置１０１は、ＭｇＯ成膜室１０２と、蒸着出口室１０３と、搬送室１０４と、プリベーク室１０５と、アライメント封着室１０６と、封着室１０７と、排気室１０８と、封止室１０９とを有している。
【０００７】
ＭｇＯ成膜室１０２の前段には、図示しない搬入室が配置されており、後段には蒸着出口室１０３が配置されている。蒸着出口室１０３は、搬送室１０４に配置されている。
【０００８】
搬送室１０４には、プリベーク室１０５と、アライメント封着室１０６と、封着室１０７とが配置されている。封着室１０７の後段には、排気室１０８が配置され、排気室１０８の後段には封止室１０９が配置されており、封止室１０９の後段には図示しない搬出室が配置されている。
【０００９】
上述した製造装置１０１を用いて、フロントパネルとリアパネルを封着するには、まず、予め透明電極膜等の所定の部材が形成されたフロントパネルを、不図示の搬入室に搬入する。
【００１０】
次いで搬入室を真空排気し、搬入室内が真空雰囲気になったら、搬入室内を、予め真空排気されたＭｇＯ成膜室１０２内と接続し、フロントパネルをＭｇＯ成膜室１０２に搬入する。次にフロントパネルを加熱し、１５０℃〜２００℃程度の温度にした状態で、蒸着法により、フロントパネル表面にＭｇＯ保護膜を成膜する。
【００１１】
所定膜厚のＭｇＯ保護膜が成膜されたら、フロントパネルを蒸着出口室１０３に搬入した後、フロントパネルの温度が室温になるまで冷却する。フロントパネルの温度が室温まで低下したら、フロントパネルを搬送室１０４を介してアライメント封着室１０６に搬入する。搬入されたフロントパネルは、アライメント封着室１０６内で、図示しない基板保持機構によりＭｇＯ保護膜の成膜面が下向きの状態で保持される。この基板保持機構は、真空吸着装置で構成されており、そのためアライメント封着室１０６内の圧力は、大気圧にされている。
【００１２】
他方、プリベーク室１０５の前段には図示しない搬入室が設けられており、予め所定の部材が表面に形成されたリアパネルを搬入室に搬入した後に、不図示の搬送機構でプリベーク室１０５へと搬送する。
【００１３】
次いで、大気圧雰囲気中のプリベーク室１０５で、リアパネルを５００℃程度の高温になるまで加熱して脱ガス処理を行う。その後リアパネルを冷却し、リアパネルの温度が室温まで低下したら、リアパネルを搬送室１０４を介してアライメント封着室１０６に搬入する。搬入されたリアパネルは、図示しない基板保持機構により、表面が上向きの状態でフロントパネルと対向するように保持される。
【００１４】
次に、大気圧雰囲気中のアライメント封着室１０６で、フロントパネルとリアパネルとの相対的な位置合わせを行う。位置合わせが終了したらフロントパネルとリアパネルとをクリップ等で仮留めし、パネル間の相対的な位置がずれないようにしておく。
次いで、フロントパネル及びリアパネルを搬送室１０４を介して、内部圧力が大気圧にされた封着室１０７に搬入する。
【００１５】
リアパネルの断面図を図１６(ｂ)の符号１３０に示す。リアパネル１３０表面の周辺には、熱溶融性の封着材１５８が形成されており、封着材１５８をフロントパネル表面に当接させ、４００℃程度まで加熱すると、封着材１５８が熱溶融してフロントパネルと密着する。この状態からパネルを冷却させて封着材を固化させると、フロントパネルとリアパネルとが封着される。
【００１６】
リアパネルの一部には、図示しない貫通孔が予め設けられており、この貫通孔と連通する開口を有するチップ管が予め取り付けられている。このため、封着された状態では、フロントパネルとリアパネルとの間の空間は、貫通孔及びチップ管を介して外部と通じている。
【００１７】
その後、封着された一組のパネルを排気室１０８に搬入し、排気室１０８内を真空排気する。すると、一組のパネル間も、貫通孔及びチップ管から真空排気される。
【００１８】
次いで、排気室１０８内を、真空排気された封止室１０９内と接続し、一組のフロントパネル及びリアパネルを封止室１０９内に搬入する。その後、封止室１０９内に放電用ガスを所定圧力まで導入すると、真空状態にあった一組のパネル間にも、チップ管及び貫通孔から放電ガスが導入される。一組のパネル間が所定圧力になったらチップ管を潰して貫通孔を塞ぎ、一組のパネル間を気密に封止すると、プラズマディスプレイ装置を得ることができる。
【００１９】
こうして製造されたプラズマディスプレイ装置を搬出室(図示せず)に搬入し、封止室１０９との間を遮断した後、搬出室内に大気を導入すると、プラズマディスプレイ装置を取り出すことができる。
【００２０】
上述した製造装置１０１では、上述したようにアライメント封着室１０６でフロントパネルとリアパネルとを位置合わせした後に、アライメント封着室１０６内で、フロントパネルとリアパネルとをクリップ等により仮留めし、位置ズレが生じないようにしてから、封着室１０７へと搬送していた。このように位置ズレが生じないようにクリップでフロントパネルとリアパネルとを仮留めすることは難しい。又、クリップで仮留めした後に、封着室１０７へ搬送する際に、クリップと搬送機構とが接触することで位置ズレが生じてしまうおそれがあるので、搬送機構がクリップと接触しないように構成された特別な搬送機構を用いる必要があった。
【００２１】
また、従来では、フロントパネルとリアパネルを、それぞれＭｇＯ成膜時や、脱ガス処理時に加熱した後に、各パネルを室温まで冷却して位置合わせし、その後、再びフロントパネルとリアパネルとを加熱して封着していた。一旦加熱したパネルを室温まで冷却するのに要する時間は極めて長いので、製造に要する時間が長くなり、スループットが低下してしまうという問題が生じていた。
【先行技術文献】
【特許文献】
【００２２】
【特許文献１】特開平１１−３２９２４６号公報
【特許文献２】特開平１１−１３５０１８号公報
【発明の概要】
【発明が解決しようとする課題】
【００２３】
本発明は上記従来技術の不都合を解決するために創作されたものであり、その目的は、製造工程が煩雑にならないようにし、スループットの向上を図ることを可能にする技術を提供することにある。
【課題を解決するための手段】
【００２４】
上記課題を解決するために、請求項１記載の発明は、フロントパネルとリアパネルからなるプラズマディスプレイ装置の前記フロントパネル表面に保護膜を成膜する成膜室と、前記リアパネルを加熱して脱ガス処理を行うプリべーク室と、前記成膜室及び前記プリべーク室のいずれにも接続され、前記フロントパネル及び前記リアパネルを搬送する搬送機構を備えた搬送室と、前記搬送室を介して搬入される前記フロントパネル及び前記リアパネルを位置合わせして封着するアライメント封着室とを有するプラズマディスプレイ装置の製造装置であって、前記アライメント封着室は、搬入された前記フロントパネル及び前記リアパネルを、前記フロントパネルと前記リアパネルの表面が互いに対向した状態で水平に保持し、前記フロントパネルと前記リアパネルの相対的な位置合わせができるように構成されたパネル保持機構を備え、前記パネル保持機構は、上側のパネル保持台と、下側のパネル保持台とを有し、各パネル保持台には、それぞれ加熱機構と静電吸着装置が設けられ、前記フロントパネルと前記リアパネルは、それぞれ前記パネル保持台に密着保持された状態で、熱伝導により加熱することができるように構成されたことを特徴とする。
請求項２記載の発明は、請求項１記載のプラズマディスプレイ装置の製造装置であって、前記アライメント封着室に、チップ管を前記リアパネル表面に当設できるように構成された当接機構を設けたことを特徴とする。
請求項３記載の発明は、請求項１または請求項２記載のプラズマディスプレイ装置の製造装置であって、前記アライメント封着室外に配置された駆動機構と、前記アライメント封着室内の真空状態を維持した状態で、前記駆動機構が生成した駆動力を前記パネル保持機構に伝達させる伝達機構とを有することを特徴とする。
請求項４記載の発明は、請求項１乃至請求項３のいずれか１項記載のプラズマディスプレイ装置の製造装置であって、前記搬送室に、前記アライメント封着室で封着した前記フロントパネルと前記リアパネルを封止する封止室を接続したことを特徴とする。
【００２５】
本発明に用いる真空処理室について、一方のパネル表面の周囲に、予め熱溶融性の封着材が設けられた場合には、位置合わせが終了した二枚のパネルの相対的な位置を維持しながら、封着材が設けられていない側のパネル表面を封着材と当接させ、加熱機構で二枚のパネルを加熱して封着材を熱溶融させた後に、封着材を冷却して固化させることにより、二枚のパネルを封着材で封着することができる。
【００２６】
このように、一つの真空処理室で二枚のパネルの相対的な位置合わせをするのみならず、二枚のパネルを封着させることができ、位置合わせ後の正しい位置関係を維持しながら、二枚のパネルを直ぐに封着することができるので、従来のようにクリップで一組のパネルを留めて封着室に搬送する工程が不要になり、工程数を削減できる。また、クリップと接触しないようにされた特別な搬送機構も必要としない。
【００２７】
なお、本発明に用いる真空処理室は、パネル保持機構には、静電吸着装置が設けられるように構成してもよい。この場合には、パネルを真空雰囲気中で吸着保持することができる。
【００２８】
また、本発明に用いる真空処理室は、パネル保持機構には、真空吸着装置が設けられるように構成してもよい。この場合には、パネルを大気圧条件下で吸着保持することができる。
【００２９】
さらに、本発明に用いる真空処理室は、パネル表面にチップ管を当接可能な当接機構を有している。
一方のパネルに貫通孔が設けられた場合には、上述の貫通孔と連通するように、当接機構で、熱溶融性の接着材が先端に設けられたチップ管先端をパネル表面に当接させ、封着する際に加熱機構で二枚のパネルを加熱すると、チップ管先端の接着材が熱溶融し、その後冷却されて固化することにより、貫通孔と連通した状態でチップ管をパネル表面に接着させることができる。
【００３０】
また、本発明に用いる真空処理室は、駆動機構を真空槽内と遮断した状態で、駆動力をパネル保持機構に伝達させる伝達機構を有するように構成してもよい。駆動機構が真空槽内雰囲気では耐えられない場合、例えば真空槽内の処理が高温で行われ、高温条件下に駆動機構を晒すと動作に支障をきたすため、真空槽内に駆動機構を設けることができない場合には、伝達機構で駆動力のみをパネル保持機構に伝達することで、駆動機構を真空槽内雰囲気に晒すことなく、パネル保持機構を駆動することができる。
【００３１】
さらに、本発明のプラズマディスプレイ装置の製造装置によれば、成膜室と、脱ガス室と、搬送室と、真空処理室を有している。
かかる構成の製造装置は、１個の真空処理室内で二枚のパネルを位置合わせして封着することができる。このため、従来と異なり、クリップで一組のパネルを留めて封着室に搬送し、封着するという工程が不要になり工程数を削減できる。
【００３２】
また、本発明のプラズマディスプレイ装置の製造装置によれば、搬送室に、封止室が接続されるように構成してもよい。
このように構成し、封着工程を真空雰囲気で行った場合には、真空処理室内で封着工程が終了した一組のパネルを、搬送室を介してすぐに封止室に搬入することができる。
【００３３】
さらに、本発明のプラズマディスプレイ装置の製造装置によれば、位置合わせ工程におけるリアパネルの温度は、脱ガスのための加熱工程におけるリアパネルの温度より所定温度だけ低下するようにされている。
【００３４】
従来では位置合わせ工程の際に各パネルを室温まで冷却していたが、本発明の製造装置では、位置合わせ時には室温まで冷却する必要がない。そのため、冷却に要する時間を短縮し、製造に要する時間を従来に比して短縮することができる。
【００３５】
また、本発明のプラズマディスプレイ装置の製造装置において、位置合わせ工程と封着工程とは、ともに同一の処理室内で行われるように構成してもよい。
さらに、本発明のプラズマディスプレイ装置の製造装置において、リアパネルの加熱工程、位置合わせ工程及び封着工程は、いずれも真空雰囲気中で行われている。
【００３６】
このように構成した場合には、封着工程終了後、封着された一組のパネルの間は真空状態になっているため、封着終了後、すぐにパネル間に放電用のガスを入れて封止することができる。従って、位置合わせ工程及び封着工程を大気圧条件下で行っていたため、封着工程終了後に一組のパネル間を真空排気する必要があった従来と異なり、真空排気に要する時間が不要なので、従来に比して製造に要する時間を短縮することができる。
【００３７】
また、本発明のプラズマディスプレイ装置の製造装置において、位置合わせ工程と封着工程において、フロントパネル及びリアパネルは、パネル保持台に静電吸着されるように構成してもよい。
【００３８】
さらに、本発明のプラズマディスプレイ装置の製造装置において、位置合わせ工程と封着工程は大気圧条件下で行われ、位置合わせ工程と封着工程において、フロントパネル及びリアパネルは、パネル保持台に真空吸着されるように構成してもよい。
【００３９】
また、本発明のプラズマディスプレイ装置の製造装置において、位置合わせ工程の前に、フロントパネルの温度を、位置合わせ工程におけるリアパネルの温度と同じ温度になるように制御するように構成してもよい。
このように構成することにより、フロントパネルとリアパネルの温度がともに等しい状態で位置合わせを行うことができる。
【００４０】
さらに、本発明のプラズマディスプレイ装置の製造装置において、熱溶融性の接着材が先端に設けられたチップ管を、フロントパネル又はリアパネルのいずれか一方に予め当接させ、封着工程で、封着材を熱溶融、固化するとともに接着材を熱溶融、固化させるように構成してもよい。
【００４１】
このように構成し、いずれか一方又は両方のパネルに貫通孔が設けられた場合には、この貫通孔と連通するように、チップ管先端をパネル表面に当接させ、封着工程でチップ管先端の接着材が熱溶融した後に冷却・固化することにより、開口が貫通孔と連通した状態でチップ管をパネル表面に接着させることができる。
【発明の効果】
【００４２】
二枚のパネルの位置合わせ工程と封着工程を一つの処理室で行うことができる。
また、位置合わせ及び封着工程を真空雰囲気中で行っており、封着後にパネル間を真空排気することなく封止工程に移行することができるので、製造に要する時間を短縮し、スループットを向上することができる。
【図面の簡単な説明】
【００４３】
【図１】本発明の一実施形態の製造装置の構成を説明する図
【図２】本発明の一実施形態の製造装置の、搬送室周辺の処理室の接続関係を説明する図
【図３】本発明の一実施形態のアライメント封着室の構成を説明する側断面図
【図４】本発明の一実施形態のアライメント封着室にフロントパネルを搬入する工程を説明する図
【図５】その続きの工程を説明する図
【図６】その続きの工程を説明する図
【図７】その続きの工程を説明する図
【図８】その続きの工程を説明する図
【図９】その続きの工程を説明する図
【図１０】本発明の一実施形態のアライメント封着室にリアパネルを搬入する工程を説明する図
【図１１】その続きの工程を説明する図
【図１２】本発明の一実施形態のアライメント封着室の位置合わせに関する機構を説明する図
【図１３】アライメント封着室における封着工程を説明する図
【図１４】その続きの工程を説明する図
【図１５】本発明の他の実施形態のアライメント封着室を説明する図
【図１６】(ａ)：一般のプラズマディスプレイ装置を説明する図  (ｂ)：一般のリアパネルを説明する断面図
【図１７】従来の製造装置の構成を説明する図
【発明を実施するための形態】
【００４４】
以下で図面を参照し、本発明の実施形態について説明する。
図１の符号１に、プラズマディスプレイ装置の製造に用いられる本発明の製造装置を示す。
この製造装置１は、ＭｇＯ成膜室２と、蒸着出口室３と、搬送室４と、プリベーク室５と、アライメント封着室６と、封止室９とを有している。
【００４５】
ＭｇＯ成膜室２の前段には、図示しない搬入室が配置されており、後段には蒸着出口室３と、搬送室４とが順に配置されている。
搬送室４には、プリベーク室５と、アライメント封着室６と、封止室９とが配置されている。このうち封止室９の後段には図示しない搬出室が配置されている。
【００４６】
上述した製造装置１を用いて、予め所定部材が表面に形成されたフロントパネルとリアパネルを位置合わせした後に封着、封止してプラズマディスプレイ装置を製造する工程について以下で説明する。
【００４７】
初期状態では、予めＭｇＯ成膜室２と、蒸着出口室３と、搬送室４と、プリベーク室５と、アライメント封着室６と、封止室９とは、ともに真空排気されているものとする。
まず、予め透明電極膜などの所定部材が表面に形成されたフロントパネルを、ＭｇＯ成膜室前段の搬入室に搬入する。
【００４８】
次いで搬入室を真空排気し、真空状態になったらＭｇＯ成膜室２内部と接続し、フロントパネルをＭｇＯ成膜室２内に搬入する。ＭｇＯ成膜室２内には不図示のヒータが設けられており、ヒータでフロントパネルを加熱し、１５０℃〜２００℃の温度に保つ。その後蒸着法で、フロントパネルの表面にＭｇＯ保護膜を成膜する。
【００４９】
所定膜厚のＭｇＯ保護膜が成膜されたら、図示しない搬送機構でフロントパネルを蒸着出口室３に搬入する。蒸着出口室３内には図２に示すように位置調整機構１１が設けられており、搬入されたフロントパネルは位置調整機構１１により、蒸着出口室３内の所定位置に配置される。
【００５０】
フロントパネルが所定位置に配置されたら、搬送ロボット１２が蒸着出口室３内のフロントパネルを保持し、蒸着出口室３から搬出し、搬送室４を介してアライメント封着室６に搬入する。
【００５１】
アライメント封着室６の詳細な構成を図３の断面図に示す。アライメント封着室６は、上側昇降軸３１と、上側保持台３２と、上側吸着装置３３と、支持板３４と、支持棒３５と、基板吸着パット３６と、ベローズ３７と、下側支持軸４１と、下側保持台４２と、下側吸着装置４３と、基板昇降軸４４と、基板昇降支持板４５と、基板昇降ピン４６と、ベローズ４７と、ベローズ４８と、アライメント機構５０と、チップ管取付軸５９とを有している。
【００５２】
アライメント封着室６内部の上方には、板状の上側吸着装置３３が配置されている。上側吸着装置３３は、その上方に配置された板状の上側保持台３２とともに本発明の上側のパネル保持部を構成しており、上側保持台３２の下面に固定され、上側保持台３２の上部は、その上方に設けられた上側昇降軸３１の下端に取り付けられている。
【００５３】
上側昇降軸３１の上端は、ベローズ３７を介して不図示の駆動機構に接続されており、駆動機構を動作させると、上側昇降軸３１が上下して、上側吸着装置３３を上下方向に移動させることができるように構成されている。
【００５４】
上側吸着装置３３と上側保持台３２とには貫通孔が設けられており、この貫通孔を挿通するように支持棒３５が配置されている。支持棒３５の上端は、支持板３４に取り付けられており、支持棒３５の下端には、ゴム製の基板吸着パット３６が下向きに取り付けられている。支持板３４は不図示の固定機構でアライメント封着室６内に固定されており、支持棒３５と基板吸着パット３６とは移動できないように構成されている。
【００５５】
アライメント封着室６内部の下方には、板状の下側吸着装置４３が配置されている。下側吸着装置４３は、その下方に配置された板状の下側保持台４２とともに本発明の下側のパネル保持部を構成しており、下側保持台４２上に固定され、下側保持台４２の下面は、その下方に設けられた下側支持軸４１の上端に取り付けられている。下側支持軸４１の下端は、ベローズ４７を介してアライメントテーブル５５に固定されている。アライメントテーブル５５には駆動機構５０が接続されており、駆動機構５０を動作させると、下側保持台４２を水平面内で移動させることができるように構成されている。
【００５６】
下側吸着装置４３と下側保持台４２には、複数の貫通孔が設けられており、各貫通孔を挿通するように基板昇降ピン４６が配置されている。基板昇降ピン４６の下端は基板昇降支持板４５に取り付けられ、基板昇降支持板４５はその下方に配置された基板昇降軸４４の上端に取り付けられている。基板昇降軸４４の下端はベローズ４８を介して昇降機構に接続されており、昇降機構を動作させると、基板昇降軸４４が動作して、基板昇降ピン４６を上下させることができるように構成されている。
【００５７】
下側吸着装置４３及び下側保持台４２には、基板昇降ピン４６を挿通する複数の貫通孔の他に、１個の貫通孔が設けられており、この貫通孔を挿通するように後述するチップ管取付軸５９が配置されている。チップ管取付軸５９の下端はベローズ５８を介して駆動機構に接続されており、駆動機構を動作させるとチップ管取付軸５９を上下できるように構成されている。
【００５８】
図４に、フロントパネルが搬入される前のアライメント封着室６の状態を示す。この状態から図５に示すように、搬送ロボット１２のアーム２０が水平方向からアライメント封着室６内へと入る。アーム２０上にはＭｇＯ保護膜の成膜面が鉛直下方を向いた状態(フェイスダウン)のフロントパネル７１が載置されており、アーム２０はフロントパネル７１が上側吸着装置３３と下側吸着装置４３との間に位置した状態で静止する。
【００５９】
次に、基板昇降ピン４６を上昇させる。基板昇降ピン４６が上昇すると、図６に示すように、基板昇降ピン４６の先端がフロントパネル７１の下面に当接する。
その後基板昇降ピン４６をさらに上昇させると、フロントパネル７１はアーム２０上から基板昇降ピン４６上に移し替えられ、基板昇降ピン４６の上昇とともにフロントパネル７１が上昇する。フロントパネル７１の上面が、図７に示すように基板吸着パット３６に当接したら、基板昇降ピン４６を静止させる。
【００６０】
次いで、アーム２０がアライメント封着室６外へと排出されるとともに、上側吸着装置３３が下降する。上側吸着装置３３が下降してフロントパネル７１の上面に当接したら図８に示すように上側吸着装置３３を静止させる。この状態で上側吸着装置３３内の静電吸着装置を動作させると、フロントパネル７１は上側吸着装置３３表面に静電吸着される。
【００６１】
フロントパネル７１が上側吸着装置３３の表面に吸着されたら、基板昇降ピン４６を下降させ、図９に示すように下側吸着装置４３と下側保持台４２の貫通孔内に収納する。
【００６２】
上側保持台３２内には、図示しない抵抗加熱型のヒータが設けられており、上側吸着装置３３表面にフロントパネル７１が吸着されたら、ヒータを起動し、フロントパネル７１を吸着した状態で加熱して、フロントパネル７１の温度を３７０℃まで昇温させる。３７０℃まで昇温した後は、ヒータはフロントパネル７１の温度を３７０℃で保持するように動作する。
【００６３】
こうしてフロントパネル７１はアライメント封着室６内に搬入され、上側吸着装置３３に保持されるが、他方、リアパネルは、不図示の搬入室へ搬入される。リアパネルが搬入室内に搬入されたら搬入室内を真空排気して真空状態にする。次に真空状態を維持しつつ搬入室内をプリベーク室５内と接続し、図２に示すアーム１３でリアパネル７２をプリベーク室５に搬入する。
【００６４】
プリベーク室５は加熱ポジションと冷却ポジションとの二段構造になっており、搬入されたリアパネル７２はまず加熱ポジションに置かれ、加熱ポジションで加熱される。リアパネル７２は５００℃程度の高温下に所定時間置かれることで、脱ガス処理がなされる。
【００６５】
脱ガス処理が終了したらリアパネル７２は冷却ポジションに移し替えられて冷却され、リアパネル７２の温度は３７０℃程度まで低下される。
その後リアパネル７２は冷却ポジションの所定位置に配置される。すると搬送ロボットのアーム２０が冷却ポジションに入り、リアパネル７２はアーム２０に表面が上方を向いた状態(フェイスアップ)で移し替えられ、搬送室４を介してアライメント封着室６へと搬入される。
【００６６】
すでにフロントパネル７１が上側吸着装置３３に吸着されているアライメント封着室６内へ、リアパネル７２がフェイスアップの状態で載置されたアーム２０が水平方向からアライメント封着室６内へと入る。アーム２０はリアパネル７２が上側吸着装置３３と下側吸着装置４３との間に位置した状態で静止する。その後、基板昇降ピン４６が上昇し、図１０に示すようにリアパネル７２の下面に当接する。さらに基板昇降ピン４６が上昇して、リアパネル７２がアーム２０から基板昇降ピン４６へと移し替えられたら、アーム２０はアライメント封着室６から排出されるとともに、基板昇降ピン４６が下降して、図１１に示すようにリアパネル７２が下側吸着装置４３の上面に載置される。この状態で下側吸着装置４３内の静電吸着装置を動作させると、リアパネル７２は下側吸着装置４３表面に静電吸着される。下側保持台４２内には、図示しない抵抗加熱型のヒータが設けられており、下側吸着装置４３表面にリアパネル７２が静電吸着されたら、ヒータを起動してリアパネル７２を加熱し、リアパネル７２の温度がフロントパネル７１の温度と同じ３７０℃になるようにする。
【００６７】
こうして、一組のフロントパネル７１とリアパネル７２がアライメント封着室６内に搬入されると、アライメント封着室６内で互いに表面が対向した状態で上下に配置される。
【００６８】
その後、アライメント封着室６内で、搬入されたフロントパネル７１とリアパネル７２との位置合わせがなされる。
図１２に、アライメント封着室６内の位置合わせ機構を示す。図１２に示すように、アライメント封着室６内の上方には、図３〜図１１では図示していなかったランプ６１1、６１2が配置されており、下方に光を照射することができるようにされている。ランプ６１1、６１2の下方には、ランプ６１1、６１2と対向するようにＣＣＤ(Charge-coupled device)カメラ６２1、６２2が配置されている。
【００６９】
フロントパネル７１とリアパネル７２には、予め図示しないアライメントマークがそれぞれ形成されており、二個のアライメントマークの相対的な位置を読みとることで、フロントパネル７１とリアパネル７２との相対的な位置ズレを検出することができるようにされている。
【００７０】
かかる位置合わせ機構が設けられたアライメント封着室６内で、フロントパネル７１とリアパネル７２の相対的な位置合わせをするには、まず、ランプ６１1、６１2を発光させる。するとランプ６１1、６１2の光はそれぞれ下方のフロントパネル７１及びリアパネル７２に照射される。フロントパネル７１及びリアパネル７２に形成された各アライメントマークは、予めランプ６１1、６１2とＣＣＤカメラ６２1、６２2との間に位置するようにされており、フロントパネル７１及びリアパネル７２に照射された光はフロントパネル７１及びリアパネル７２の各アライメントマークに照射され、ＣＣＤカメラ６２1、６２2は、各アライメントマークを撮影する。
【００７１】
ＣＣＤカメラ６２1、６２2によって撮影された二個のアライメントマークの画像は不図示の制御系に転送される。制御系は撮影画像を解析し、フロントパネル７１及びリアパネル７２の相対的な位置が正しい位置にあるかどうかを判断する。正しい位置にあれば、そのままの状態を維持して位置合わせを終了するが、正しい位置に無い場合には、解析結果によって得られた相対的な位置ズレ量に基づいて駆動機構５０、５１を駆動し、下側保持台４２を所定量だけ水平面内で移動させる。その後再びＣＣＤカメラ６２1、６２2は二個のアライメントマークを撮影し、相対的な位置ズレ量を再度検出し、その位置ズレ量に基づいて下側保持台４２を水平面内で移動させ、フロントパネル７１及びリアパネル７２の相対的な位置が正しい位置関係になるようにする。
以上、２組のランプとＣＣＤカメラ及び２個のアライメントマークを設けた例で位置合わせについて説明したが、それぞれ３個以上設けるようにしてもよい。
【００７２】
こうして、フロントパネル７１及びリアパネル７２が正しい位置関係になったら、引き続いて、アライメント封着室６内で、フロントパネル７１及びリアパネル７２を封着する。
【００７３】
この封着工程について以下で説明する。位置合わせが終了したら、上側吸着装置３３が下降する。リアパネル７２の表面の周辺部には、熱溶融性の封着材が設けられており、フロントパネル７１と封着材とが当接したら、上側吸着装置３３を静止させる。
【００７４】
リアパネル７２には、貫通孔７３が設けられており、その下方には、上述したチップ管取付軸５９が配置されている。チップ管取付軸５９は、上側吸着装置３３が静止したら上昇し始める。チップ管取付軸５９の先端にはチップ管６０が取り付けられており、チップ管取付軸５９が上昇してチップ管６０の先端がリアパネル７２の下面に当接したら、図１３に示すようにチップ管取付軸５９は静止する。このとき、チップ管６０の開口は、リアパネル７２に設けられた貫通孔７３と連通している。
【００７５】
上述したように、位置合わせにおけるフロントパネル７１及びリアパネル７２の温度は３７０℃程度であったが、上側吸着装置３３が静止したら、上側保持台３２、下側保持台４２内にそれぞれ設けられたヒータで、フロントパネル７１及びリアパネル７２を加熱し、両者の温度がともに４００℃程度になるようにする。すると封着材が熱溶融する。そこで上側吸着装置３３をさらに下降させ、フロントパネル７１とリアパネル７２との間が所定の間隙になるまで押圧する。
【００７６】
また、チップ管６０の先端には、熱溶融性の接着材が設けられており、上述の封着材が熱溶融するとともに、この接着材も熱溶融する。
この状態でヒータの動作を停止させ、封着材及び接着材を冷却して固化させると、フロントパネル７１が封着材によってリアパネル７２表面上に固定されるとともに、チップ管６０がリアパネル７２裏面に固定され、封着工程が終了する。
【００７７】
封着工程が終了したら、図１４に示すように上側吸着装置３３を上昇させるとともに、チップ管取付軸５９を下降させて貫通孔７３内に収納する。次に、再び基板昇降ピン４６を上昇させて、封着された一組のパネル７１、７２を所定高さに位置させる。
【００７８】
次いで、搬送ロボットのアーム２０をアライメント封着室６内に導入して一組のパネル７１、７２下に位置させた後、基板昇降ピン４６を降下させて一組のパネル７１、７２をアーム２０上に移し替え、アーム２０を排出してアライメント封着室６から搬出し、搬送室４を介して封止室９へ搬入する。
【００７９】
従来では、封着工程は大気圧条件下で行われていたので、一組のパネル間の空間にはガスが閉じ込められており、排気室で真空排気してガスを排気した後に、放電用のガスを封入して封止する必要があったが、本実施形態の製造工程では、封着工程は真空雰囲気中で行われているので、一組のパネル間の空間は真空状態にあり、改めて真空排気する必要がない。
【００８０】
従って、封着工程が終了したら、従来のように真空排気することなく、直ぐに封止室９にパネルを搬入して、封止工程を行うことができるので、製造に要する時間を短縮することができる。又、従来必要としていた排気室を必要としないので、その分製造装置の規模を小さくすることができる。
【００８１】
その後、封止室９内にネオン・キセノンガス等の放電用ガスを所定圧力まで導入する。すると放電用ガスは、チップ管６０と貫通孔７３から一組のパネル７１、７２間に導入される。一組のパネル７１、７２の間が放電用ガスで満たされ、所定圧力になったら、チップ管６０を図示しない機構で潰して貫通孔７３を塞ぎ、一組のパネル７１、７２間を気密に封止する。以上により、プラズマディスプレイ装置を得ることができる。
【００８２】
こうして製造されたプラズマディスプレイ装置を搬出室(図示せず)に搬入し、封止室９との間を遮断した後、搬出室内に大気を導入すると、プラズマディスプレイ装置を取り出すことができる。
【００８３】
その後、新たなフロントパネルをＭｇＯ成膜室２に搬入してＭｇＯ保護膜を表面に形成した後に、アライメント封着室６に搬送し、他方、新たなリアパネルをプリベーク室５に搬入して脱ガス処理をした後に、アライメント封着室６に搬送し、新たなフロントパネル及びリアパネルをアライメント封着室６内で位置合わせし、封着し、封止室９へと搬入する。その後は上述の動作を繰り返すことにより、複数のプラズマディスプレイ装置を製造することができる。
【００８４】
なお、以上説明した本実施形態では、アライメント封着室６内にヒータが設けられているので、一組のパネル７１、７２を位置合わせしたら、正しい位置関係を維持しながらすぐに基板を封着温度(４００℃)まで加熱し、封着することができる。従って、従来と異なり、クリップで一組のパネルを留めて封着室へ搬送する工程を省略することができ、また、クリップを避けるため特別な搬送機構を用いる必要もない。
【００８５】
また、位置合わせを３７０℃という高温で行っているので、各パネルを室温まで冷却する必要が無い。従って、位置合わせを室温で行っていた従来に比して、パネルの冷却に要する時間を大幅に短縮することができ、処理時間を短縮して、スループットを向上させることができる。
【００８６】
さらに、以上までは、アライメント封着室６内に設けられた上側吸着装置と下側吸着装置が、静電吸着装置を有する場合について説明したが、本発明はこれに限らず、例えば図１５に示すように、それぞれの表面に吸着溝８３、８４が形成され、真空吸着装置で構成された上側吸着装置８１、下側吸着装置８２を用いてもよい。
【００８７】
このようなアライメント封着室６では、室内を真空雰囲気にすることができないので、不活性ガス雰囲気中で封着後の一組のパネル間にはガスが残留している。従って、封着処理が終了したら、封止工程の前に一組のパネル間を真空排気しなければならないが、この場合でも位置合わせと封着とはともにアライメント封着室６内で行われるので、クリップによる仮留めが不要であるという利点がある。
【符号の説明】
【００８８】
１……製造装置    ２……ＭｇＯ成膜室(成膜室)    ４……搬送室    ５……プリベーク室(脱ガス室)    ６……アライメント封着室(真空処理室)    ９……封止室  ７１……フロントパネル    ７２……リアパネル